(57)【要約】【課題】HLA-Aの各アリルを個別に同定するために有用であるプローブセット及びそれを用いたHLA-Aのアリルの同定方法を提供すること。【解決手段】HLA-Aの各アリルに特有の塩基を含む部分配列のすべてを網羅するプローブからプローブセットを構成し、これを用いて検体に含まれるHLA-Aを同定する。【選択図】    なし【特許請求の範囲】
【請求項１】
検体中に含まれるＨＬＡ−Ａ型のアリルの同定に利用し得る多数のプローブからなるプローブセットであって、
前記多数のプローブのそれぞれが、明細書中のアリルリスト中の各アリルの配列中の大文字で表記された塩基を含む部分配列を有する
ことを特徴とするプローブセット。
【請求項２】
明細書中の表１−１〜表１−６に記載されるプローブ群または表２−１〜表２−６に記載されるプローブ群からなる請求項１に記載のプローブセット。
【請求項３】
検体からの試料中に含まれるＨＬＡ−Ａ型のアリルをプローブセットを用いて同定する方法であって、
該プローブセットが請求項１または２に記載のプローブセットであることを特徴とするＨＬＡ−Ａ型のアリルを同定する方法。
【発明の詳細な説明】
【技術分野】
【０００１】
本発明は、人のHLA-Aアレルを同定するためのプローブセット及び特定方法に関する。
【背景技術】
【０００２】
人白血球のHLA-A型の各アレルについては、従来から血清学的レベルのタイピングが行われてきた。この場合、特別なサンプル処理を必要とせず、抗原抗体反応で容易にタイピングが可能である反面、同定できる内容はアミノ酸配列の違いを区別できるレベルを４桁以上の数字での命名法における３、４桁目とした場合、最初の２桁の数字が血清学的レベルのタイピングで同定可能なレベルである（日本組織適合性学会ＨＬＡ標準化委員会「アリル表記法と結果報告の原則について２０００」http://jshi.umin.ac.jp/standarization/hyoki.html参照）。
【０００３】
その他のゲノム抽出を伴うタイプの市販キットの多くは、各アレルを個別に同定可能な精度のものではなく、複数のアリルをセットとして区別しているのが現状である。また最も詳細な多型解析を可能とするSBT（Sequencing Based Typing） 法に基づくキットにしても、たいていのサンプルはヘテロ接合体であるため、ambiguityの問題を一度に解決できず、再検査を必要とすることが多い。こうした問題を伴うアレルは、IHWG学会のhttp://www.ihwg.org/protocols/sbt/ambiguities2.pdfにまとめて紹介されている。
【非特許文献１】（日本組織適合性学会ＨＬＡ標準化委員会「アリル表記法と結果報告の原則について２０００」（http://jshi.umin.ac.jp/standarization/hyoki.htmlのサイト）
【非特許文献２】http://www.ihwg.org/protocols/sbt/ambiguities2.pdf
【発明の開示】
【発明が解決しようとする課題】
【０００４】
一方、近年は高度医療の発達に伴い、臓器移植などの際に詳細なタイピングが要求されるほか、糖尿病や癌、その他多因子病においても、薬剤投与との関連が示唆され、医療行為に対するエヴィデンスが求められている。こうした背景から、各アリルを個別に同定可能な試験方法が望まれており、本発明はかかる要望に対してHLA-Aの各アリルを個別に同定するために有用であるプローブセット及びそれを用いたHLA-Aのアリルの同定方法を提供することを目的とする。
【課題を解決するための手段】
【０００５】
本発明にかかるＨＬＡ−Ａアリルを同定するためのプローブセットは、検体中に含まれるＨＬＡ−Ａ型のアリルの同定に利用し得る多数のプローブからなるプローブセットであって、前記多数のプローブのそれぞれが、明細書中のアリルリスト中の各アリルの配列中の大文字で表記された塩基を含む部分配列を有することを特徴とするプローブセットである。
【０００６】
また、本発明にかかるＨＬＡ−Ａアリルの同定方法は、検体からの試料中に含まれるＨＬＡ−Ａ型のアリルをプローブセットを用いて同定する方法であって、該プローブセットが請求項１または２に記載のプローブセットであることを特徴とするＨＬＡ−Ａ型のアリルを同定する方法である。
【発明の効果】
【０００７】
本発明にかかるプローブセット及びそれを用いたHLA-Aアレルの同定によって、臓器移植、癌、糖尿病、その他多因子病において必要とされる体質判定、テーラーメイド医療に貢献することができる。
【発明を実施するための最良の形態】
【０００８】
本発明のプローブセットを構成する各プローブは後述するアレルリストの各アレルにおける大文字表記の塩基を含む部分配列をそれぞれが有するものである。好ましくは、大文字の塩基を含む１０〜３０の塩基からなる部分を選択し得られた部分塩基配列からなるプローブを用いてプローブセットを構成する。具体例としては、後述の表１−１〜１−６のプローブリスト１または表２−１〜２−６のプローブリスト２に挙げられた各プローブ群からプローブセットを構成することができる。例えば、プローブリスト１における０番のプローブは、A*010101の最初の大文字（Ｃ）が含まれている部分「gccccgcttcatcgcC」の１６塩基配列からなるものであり、プローブリスト２におけるプローブ０番もまた同じアリルの最初の大文字のＣを含む部分「cttcatcgcCgtgggcta」の１８塩基配列からなるものである。
【０００９】
なお、後述のアリルリストにおける「Ａ＊」で示されている番号は、各アリルに付された固有の番号であり、日本組織適合性学会ＨＬＡ標準化委員会による「アリル表記法」に従ったものである。
【００１０】
本発明にかかるアリルの同定方法におけるプローブによるアリルの検出には、例えば、２つの方法が可能である。一つはハイブリダイゼーション法によって検出する場合と、もう一つはPCR法によってハイブリダイゼーションをすることなしに直接検出する場合である。いずれの場合も、好ましくは十数個から二十数個程度の長さのオリゴヌクレオチドに、大文字で表した塩基を含むようにプローブが設計される。
【００１１】
また、本発明において提供されるプローブアレイは、各アリルを個別に同定するための変異塩基の組をプローブとして選択する位置で提示しているともいえる。この変異塩基を検出するための方法にもハイブリダイゼーション法による検出方法と、PCR法によってハイブリダイゼーションをすることなしに直接検出する方法が好適に利用できる。これらの場合にも、好ましくは十数個から二十数個程度の長さのオリゴヌクレオチドに、大文字で表した塩基を含むようにプローブが設計される。
【００１２】
ハイブリダイゼーションによって変異を検出する場合は、プローブの中心付近にミスマッチが（即ち大文字で表した変異塩基が）来るようにプローブを設計したほうが、フルマッチとミスマッチの配列間でＴｍに差がつきやすく、ハイブリダイゼーションの反応温度を調節することによって、両者を分離しやすい。
【００１３】
一方PCR法によって直接変異を検出する場合は、酵素がアニールした二本鎖を認識して伸長しないよう、むしろ3’末端側にミスマッチを配置することが行われる。またAllel  Spcific  Primerのように、3’末端から2つ目にミスマッチを配置し、3個目に人為的にミスマッチを追加したり（東洋紡（株））、3’末端側にミスマッチを配置するがライゲーションによって、プローブの環状化を行う方法（アマシャムバイオサイエンス（株））、TaqMan-MGB法（ABI社）LNAを使った3’末端ミスマッチ（プロリゴ・ジャパン（株））など、いくつかのバリエーションが可能である。
【００１４】
例えば、Ａ＊２３０２の４番目の大文字表記の部分は「ｇｇａｇｃａｇＴｇｇａｇａｇＣ」であり、これに対応する同じ血清型のA*2303の対応する部分は「ｇｇａｇｃａｇｔＴｇａｇａｇｃ」であり、９番目に変異が生じている。これらの部分の一方の配列からなるプローブを用いれば、他方とはミスマッチによって区別が可能となる。
【実施例】
【００１５】
以下実施例により本発明を更に説明する。
【００１６】
アマシャムバイオサイエンスのGFX Genomic Blood DNA Purification Kitを使って、人の血液1mlからDNAの抽出を行った。以下にプロトコールを示す。
血液1ml
↓＋RBC Lysis Solution［溶血］
↓＋血液サンプル（穏やかに混和）
↓室温、5分間
↓12,000〜16,000×g、20秒間遠心
↓上清を20〜50 μl残して捨てる
↓沈殿物を再懸濁
↓＋Extraction Solution（激しくボルテックス）
↓室温、5分間［DNAの抽出］
↓Collection TubeにGFX Columnをセット
↓溶出バッファーを70℃に加温
↓＋サンプル
↓5,000×g、1分間遠心（DNAの結合）
↓＋Extraction Solution（洗浄）
↓5,000×g、1分間遠心
↓＋Wash Solution（洗浄）
↓12,000×g、3分間遠心
↓GFX Columnを遠心チューブにセット
↓＋純水で溶出
↓室温、1分間
↓5,000〜8,000×g、1分間遠心
230μlに濃縮調整………溶液（１）
次にキアゲン社のQuantiTect SYBR Green PCR Kit、ABI社のGeneAmp5700を使って、定量PCRを行った。反応組成およびプロトコールを以下に示す。
1）反応組成/well（96wellマイクロプレート）
QuantiTect SYBR Green  2×プレミクス：10μｌ
溶液（１）：1μｌ
プローブリスト１の各プローブ(10 pmol/μｌ)：1μｌ
ミックスプライマ(10 pmol/μｌ)注）：3μｌ
超純水：5μｌ
（合計：20μｌ）
注）以下の配列を持つ各10 pmol/μｌの水溶液各１μｌ
CCCATCTCAGGGTGAGGGGCT（配列番号：６３２）
GCGCTGCAGCGTCTCCTTCC（配列番号：６３３）
GCCCAGGTCTGGGTCAGGGCCAG（配列番号：６３４）
2）PCRプログラム
94℃：180secの後に（94℃：10sec＋66℃：10sec＋72℃：20sec）の30 cyclesを行った。
【００１７】
5700ソフトウエア画面上のAmp PlotおよびDissociationカーブおよびアレル−プローブ対応リスト１（表３−１〜３−９）を参照して、A*2402101であると同定された。
【００１８】
実施例2
人の血液1ｍｌからのDNA抽出は、実施例1と同様に行った。次にタカラバイオ（株）のEx Taq、ABI社のPCR装置9700を使って、人HLA-AのPCRを行った。反応組成およびプロトコールを以下に示す。
1）反応組成/tube
Ex Taq  2×プレミクス：20μｌ
溶液（１）：3μｌ
Cy-3 dUTP (1mM)：2μｌ
ミックスプライマ(10 pmol/μｌ)注）：3μｌ
超純水：12μｌ
（合計：：40μｌ）
注）以下の配列を持つ各10 pmol/μｌの水溶液各1μｌ
ATGGCTCCCCGAACCCTC（配列番号：６３５）
ATGGCGCCCCGAACCCTC（配列番号：６３６）
CATCTCAGGGTGAGGGGCT（配列番号：６３７）
2） PCR プログラム
94℃：180secの後に、（94℃：10sec＋66℃：10sec＋72℃  20sec）の30cyclesを行った。
【００１９】
反応終了後、精製用カラム（QIAGEN  QIAquick PCR Purification Kit）を用いて未反応のdＮＴＰs等のClean Upを行った。
【００２０】
一方上述の検体に対して、アレルを同定するためのDNAマイクロアレイを作製した。作製の方法は、特開平11-187900号公報の実施例に従った。固相化のための官能基はSH基とし、ガラス基板上にシランカップリング処理を行い、2価性試薬のEMCS（N-(6-Maleimidocaproyloxy)succinimide）介してSH基と架橋した。各ドットのプローブには、プローブリスト２の各プローブを用いた。
【００２１】
次に先ほどの検体と作製したDNAマイクロアレイを用いて、ハイブリダイゼーションを行った。DNAマイクロアレイは予めBSA（牛血清アルブミン）1wt％加PBSで2時間ブロッキングした。検体はその塩濃度がPBSと等しくなるように、また0.1wt％SDS（ドデシル硫酸ナトリウム）、25% Form amideとなるように調整し、その50μｌを、先ほどのブロッキング済みDNAマイクロアレイと６０℃で2時間反応させ、未反応物を２×SSC溶液（NaCl 300mM 、Sodium Citrate (trisodium citrate dihyAate, C6H5Na3・2H2O) 30mM、p.H. 7.0）で３回、続いて0.1×SSC溶液で2回洗浄した後風乾させ、Axon社製、GenePix 4000Bを用いで蛍光測定を行った。アレル−プローブ対応リスト２（表４−１〜４−９）を参照してA*2402101であるとが同定された。
【００２２】
アレルリスト
A*010101：
atggccgtcatggcgccccgaaccctcctcctgctactctcgggggccctggccctgacccagacctgggcgggctcccactccatgaggtatttcttcacatccgtgtcccggcccggccgcggggagccccgcttcatcgcCgtgggctacgtggacgacacgcagttcgtgcggttcgacagcgacgccgcgagccagaagatggagccgcgggcgccgtggatagagcaggaggggccggagtattgggaccaggagacacggaatAtgaaggcccactcacagactgaccgagcgaacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggtccatgcggcggagcagcggagagTctacctggagggcCGgtgcgtggacgggctccgcagatacctggagaacgggaaggagacgctgcagcgcacggacccccccaagacacatatgacccaccaccccatctctgaccatgaggccaccctgaggtgctgggccctgGgcttctaccctgcggagatcacactgacctggcagcgggatggggaggaccagacccaggacacggagctcgtggagaccaggcctgcaggggatggaaccttccagaagtgggcggctgtggtggtGccttctggaGaggagcagagatacacctgccatgtgcagcatgagggtctgcccaagcccctcaccctgagatgggag（配列番号：１）；
A*010102：
gctcccactccatgaggtatttcttcacatccgtgtcccggcccggccgcggggagccccgcttcatcgccgtgggctacgtggacgacacgcagttcgtgcggttcgacagcgacgccgcgagccagaagatggagccgcgggcgccgtggatagagcaggaggggccggagtattgggaccaggagacacggaatatgaaggcccactcacagactgaccgagcgaacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatTaccaagcgcaagtgggaggcggtccatgcggcggagcagcggagagtctacctggagggccggtgcgtggacgggctccgcagatacctggagaacgggaaggagacgctgcagcgcacgg（配列番号：２）；
A*0102：
atggccgtcatggcgccccgaaccctcctcctgctactctcgggggccctggccctgacccagacctgggcgggctcccactccatgaggtatttctCcacatccgtgtcccggcccggcagtggAgagccccgcttcatcgcagtgggctacgtggacgacacgcagttcgtgcggttcgacagcgacgccgcgagccagaagatggagccgcgggcgccgtggatagagcaggaggggccggagtattgggaccaggagacacggaatatgaaggcccactcacagactgaccgagcgaacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggtccatgcggcggagcagcggagagtctacctggagggccggtgcgtggacgggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：３）；
A*0103：
gctcccactccatgaggtatttcttcacatccgtgtcccggcccggccgcggggagccccgcttcatcgccgtgggctacgtggacgacacgcagttcgtgcggttcgacagcgacgccgcgagccagaagatggagccgcgggcgccgtggatagagcaggaggggccggagtattgggaccaggagacacggaatatgaaggcccactcacagactgaccgagcgaacctggggaccctgcgcggctactacaaccagagcgaggacggttctcacaccatccagatGatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggtccatgcggcggagcagcggagagtctacctggagggccggtgcgtggacgggctccgcagatacctggagaacgggaaggagacgctgcagcgcacgg（配列番号：４）；
A*0106：
gctcccactccatgaggtatttcttcacatccgtgtcccggcccggccgcggggagccccgcttcatcgccgtgggctacgtggacgacacgcagttcgtgcggttcgacagcgacgccgcgagccagaagatggagccgcgggcgccgtggatagagcaggaggggccggagtattgggaccaggagacacggaatatgaaggcccactcacagactgaccgagcgaacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggtccatgcggcggagcagTTgagagcctacctggagggccggtgcgtggacgggctccgcagatacctggagaacgggaaggagacgctgcagcgcacgg（配列番号：５）；
A*0107：
gctcccactccatgaggtatttcttcacatccgtgtcccggcccggccgcggggagccccgcttcatcgccgtgggctacgtggacgacacgcagttcgtgcggttcgacagcgacgccgcgagccagaagatggagccgcgggcgccgtggatagagcaggagaggccTgagtattgggaccaggagacacggaatgtgaaggcccactcacagactgaccgagAgaacctggggaccctgcgcggctactacaaccagagcgaggCcggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggtccatgcggcggagcagcggagagtctacctggagggccggtgcgtggacgggctccgcagatacctggagaacgggaaggagacgctgcagcgcacgg（配列番号：６）；
A*0108：gctcccactccatgaggtatttcttcacatccgtgtcccggcccggccgcggggagccccgcttcatcgccgtgggctacgtggacgacacgcagttcgtgcggttcgacagcgacgccgcgagccagaagatggagccgcgggcgccgtggatagagcaggaggggccggagtattgggaccaggagacacggaatatgaaggcccactcacagactgaccgagcgaacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggtccatgcggcggagcagcggagagtctacctggagggcTggtgcgtggacgggctccgcagatacctggagaacgggaaggagacgctgcagcgcacgg（配列番号：７）；
A*0109：
atggccgtcatggcgccccgaaccctcctcctgctactctcgggggccctggccctgacccagacctgggcgggctcccactccatgaggtatttcttcacatccgtgtcccggcccggccgcggggagccccgcttcatcgccgtgggctacgtggacgacacgcagttAgtgcggttcgacagcgacgccgcgagccagaagatggagccgcgggcgccgtggatagagcaggaggggccggagtattgggaccaggagacacggaatatgaaggcccactcacagactgaccgagcgaacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggtccatgcggcggagcagcggagagtctacctggagggccggtgcgtggacgggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：８）；
A*020101：
atggccgtcatggcgccccgaaccctcgtcctgctactctcgggggcTctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaAgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagtTgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：９）；
A*020102：
gctcccactccatgaggtatttcttcacatccgtgtcccggcccggccgcggggagccccgcttcatcgcAgtgggctacgtggacgacacgcagttcgtgcggttcgacagcgacgccgcgagccagaggatggagccgcgggcgccgtggatagagcaggagggtccggagtattgggacgGggagacacggaaAgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaCcagTacgcctacgacggcaaggattacatcgccctgaaAgaggacctgcgctcttggaccgcggcggacatggcagctcagaCcaccaagcacaagtgggaggcggcccatgTggcggagcagtTgagagcctacctggagggcaCgtgcgtggagTggctccgcagatacctggagaacgggaaggagacgctgcagcgcacgg（配列番号：１０）；
A*020103：
aaccctcgtcctgctactctcgggggctctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaTcgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtttgcccaagcccctcaccctgagatggg（配列番号：１１）；
A*020104：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcAgcggacatggcagctcagaccaccaagcacaagtgggaggcggcccatgtggcggagcagttgagagcctacctggagggcacgtgcgtggagtggctccgcagatacctggagaacgggaaggagacgctgcagcgcacgg（配列番号：１２）；
A*020105：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaAgacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtttgcccaagcccctcaccctgagatggg（配列番号：１３）；
A*020106：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgAttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtttgcccaagcccctcaccctgagatggg（配列番号：１４）；
A*020107：
gctctcactccatgaggtatttcttcacatccgtgtcccggcccggccgTggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatggg（配列番号：１５）；
A*020108：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacAgagctcgtggagaccaggcctgcaggggatggaaccttccagaagtgggcggctgtggtggtgccttctggacaggagcagagatacacctgccatgtgcagcatgagggtttgcccaagcccctcaccctgagatggg（配列番号：１６）；
A*020109：
gctctcactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggagggtccggagtattgggacggggagacacggaaAgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagTTgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatggg（配列番号：１７）；
A*0202：
gctctcactccatgaggtatttcttcacatccgtgtcccggcccggccgcggggagccccgcttcatcgcagtgggctacgtggacgacacgcagttcgtgcggttcgacagcgacgccgcgagccggaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccctccagaggatgtatggctgcgacgtggggtcggactggcgcttcctGcgcgggtaccaccagtacgcctacgacggcaaggattacatcgccctgaaagaggacctgcgctcttggaccgcggcggacatggcagctcagaccaccaagcacaagtgggaggcggcccatgtggcggagcagtggagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatggg（配列番号：１８）；
A*0203：
atggccgtcatggcgccccgaaccctcgtcctgctactctcgggggcTctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggagAcggcccatgAggcggagcagTggagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：１９）；
A*0204：
atggccgtcatggcgccccgaaccctcgtcctgctactctcgggggcTctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaAgtgaaggcccactcacagactCaccgagtggacctggggaccctgcgcggctactacaaccagagcgaggccggttctcacaccGtccagatgatgtatggctgcgacgtggggtcggacTggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagtTgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：２０）；
A*0205：
atggccgtcatggcgccccgaaccctcgtcctgctactctcgggggctctggccctgacccagacctgggcgggctctcactccatgaggtatttctacacCtccgtgtcccggcccggccgcggggagccccgcttcatcgcagtgggctacgtggacgacacgcagttcgtgcggttcgacagcgacgccgcgagccggaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccctccagaggatgtatggctgcgacgtggggtcggactggcgcttcctGcgcgggtaccaccagtacgcctacgacggcaaggattacatcgccctgaaagaggacctgcgctcttggaccgcggcggacatggcagctcagaccaccaagcacaagtgggaggcggcccatgtggcggagcagtggagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：２１）；
A*0206：
atggccgtcatggcgccccgaaccctcgtcctgctactctcgggggcTctggccctgacccagacctgggcgggctctcactccatgaggtatttctacacCtccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaAgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagtTgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：２２）；
A*0207：
atggccgtcatggcgccccgaaccctcgtcctgctactctcgggggctctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtGtggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtttgcccaagcccctcaccctgagatgggag（配列番号：２３）；
A*0208；
tgggcgggctctcactccatgaggtatttctacacCtccgtgtcccggcccggccgcggggagccccgcttcatcgcagtgggctacgtggacgacacgcagttcgtgcggttcgacagcgacgccgcgagccggaggatggagccgcgggcgccgtggatagagcaggagggtccggagtattgggacggggagacacggaatgtgaaggcccactcacagactcaccgagtggacctggggaccctgcgcggctactacaaccagagcgaggccggttctcacaccctccagaggatgtatggctgcgacgtggggtcggactggcgcttcctGcgcgggtaccaccagtacgcctacgacggcaaggattacatcgccctgaaagaggacctgcgctcttggaccgcggcggacatggcagctcagaccaccaagcacaagtgggaggcggcccatgtggcggagcagtggagagcctacctggagggcacgtgcgtggagtggctccgcagatacctggagaacgggaaggagacgctgcagcgca（配列番号：２４）；
A*0209：
atggccgtcatggcgccccgaaccctcgtcctgctactctcgggggctctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgAaggggatggaaccttccagaagtgggcggctgtggtggtgccttctggacaggagcagagatacacctgccatgtgcagcatgagggtttgcccaagcccctcaccctgagatgggag（配列番号：２５）；
A*0210：
atggccgtcatggcgccccgaaccctcgtcctgctactctcgggggcTctggccctgacccagacctgggcgggctctcactccatgaggtatttctacacctccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaGgatgtTtggctgcgacgtggggtcggacgggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagtTgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：２６）；
A*0211：
atggccgtcatggcgccccgaaccctcgtcctgctactctcgggggctctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagaTtgaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：２７）；
A*0212：
atggccgtcatggcgccccgaaccctcgtcctgctactctcgggggcTctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagcAgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：２８）；
A*0213：
atggccgtcatggcgccccgaaccctcgtcctgctactctcgggggcTctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgAggcggagcagcAgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：２９）；
A*0214：
cgtcatggcgccccgaaccctcgtcctgctactctcgggggctctggccctgacccagacctgggcgggctctcactccatgaggtatttctacacctccgtgtcccggcccggccgcggggagccccgcttcatcgcagtgggctacgtggacgacacgcagttcgtgcggttcgacagcgacgccgcgagccggaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccctccagaggatgtatggctgcgacgtggggtcggactggcgcttcctGcgcgggtaccaccagtacgcctacgacggcaaggattacatcgccctgaaagaggacctgcgctcttggaccgcggcggacatggcagctcagaccaccaagcacaagtgggaggcggcccatgtggcggagcagtTgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：３０）；
A*0216：
atggccgtcatggcgccccgaaccctcgtcctgctactctcgggggctctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcgAgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：３１）；
A*021701：
atggccgtcatggcTccccgaaccctcgtcctgctactctcgggggctctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccctccagatgatgtttggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtttgcccaagcccctcaccctgagatgggag（配列番号：３２）；
A*021702：
atggccgtcatggcgccccgaaccctcgtcctgctactctcgggggcTctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccctccagatgatgtTtggctgcgacgtggggtcggacTggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagtTgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgAgcttctaccctgcggagatcacactgacctggcagcgggatggggaggaccagacccaggacacggagctcgtggagaccaggcctgcag（配列番号：３３）；
A*0218：
atggccgtcatggcgccccgaaccctcgtcctgctactctcgggggctctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtgtggctgcgacgtggggtcggactggcgcttcctccgcgggtaccaccagtacgcctacgacggcaaggattacatcgccctgaaagaggacctgcgctcttggaccgcggcggacaAggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtttgcccaagcccctcaccctgagatgggag（配列番号：３４）；
A*0219：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtgGacctggggaccctgcgcggctactacaaccagagcgaggccggttctcacaccGtccagaggatgtatggctgcgacgtggggtcggactggcgcttcctccgcgggtaccaccagtacgcctacgacggcaaggattacatcgccctgaaagaggacctgcgctcttggaccgcggcggacatggcGgctcagatcaccaagcgcaagtgggaggcggcccatgTggcggagcagcAgagagcctacctggagggcaCgtgcgtggacgggctccgcagatacctggagaacgggaaggagacgctgcagcgcacgg（配列番号：３５）；
A*022001：
gctctcactccatgaggtatttcttcacatccgtgtcccggcccggccgcggggagccccgcttcatcgcAgtgggctacgtggacgacacgcagttcgtgcggttcgacagcgacgccgcgagccagaggatggagccgcgggcgccgtggatagagcaggagggtccggagtattgggacGGggagacacggaatgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaCcagTacgcctacgacggcaaggattacatcgccctgaaAgaggacctgcgctcttggaccgcggcggacatggcagctcagaCcaccaagcacaagtgggaggcggcccatgTggcggagcagtTgagagcctacctggagggcaCgtgcgtggagTggctccgcagatacctggagaacgggaaggagacgctgcagcgcacgg（配列番号：３６）；
A*022002：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaCgtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacgg（配列番号：３７）；
A*0221：
atggccgtcatggcgccccgaaccctcgtcctgctactctcgggggctctggccctgacccagacctgggcgggctctcactccatgaggtatttctacacctccgtgtcccggcccggccgcggggagccccgcttcatcgcagtgggctacgtggacAacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtttgcccaagcccctcaccctgagatgggag（配列番号：３８）；
A*0222：
atggccgtcatggcgccccgaaccctcgtcctgctactctcgggggcTctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaAgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagTggagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：３９）；
A*0224：
gctctcactccatgaggtatttcttcacatccgtgtcccggcccggccgcggggagccccgcttcatcgcAgtgggctacgtggacgacacgcagttcgtgcggttcgacagcgacgccgcgagccagaggatggagccgcgggcgccgtggatagagcaggagggtccggagtattgggacgGggagacacggaaAgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaCcagTacgcctacgacggcaaggattacatcgccctgaacgaggacctgcgctcttggaccgcggcggacatggcagctcagaCcaccaagcacaagtgggaggcggcccatgTggcggagcagtTgagagcctacctggagggcaCgtgcgtggagTggctccgcagatacctggagaacgggaaggagacgctgcagcgcacgg（配列番号：４０）；
A*0225：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggagAcggcccatgTggcggagcagtTgagagcctacctggagggcaCgtgcgtggagtggctccgcagatacctggagaacgggaaggagacgctgcagcgcacgg（配列番号：４１）；
A*0226：
gtcatggcgccccgaaccctcgtcctgctactctcgggggcTctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgAggcggagcagtTgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：４２）；
A*0227：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccGtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcAcaagtgggaggcggcccatgcggcggagcagcAgagagcctacctggagggcaCgtgcgtggagTggctccgcagatacctggagaacgggaaggagacgctgcagcgcacgg（配列番号：４３）；
A*0228：
gctctcactccatgaggtatttctacacctccgtgtcccggcccggccgcggggagccccgcttcatcgcagtgggctacgtggacgacacgcagttcgtgcggttcgacagcgacgccgcgagccagaggatggagccgcgggcgccgtggatagagcaggagAgtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcAcaagtgggaggcggcccatgTggcggagcagtTgagagcctacctggagggcacgtgcgtggagTggctccgcagatacctggagaacgggaaggagacgctgcagcgcacgg（配列番号：４４）；
A*0229：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggCaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcAcaagtgggaggcggcccatgtggcggagcagttgagagcctacctggagggcacgtgcgtggagtggctccgcagatacctggagaacgggaaggagacgctgcagcgcacgg（配列番号：４５）；
A*0230：
atggccgtcatggcgccccgaaccctcgtcctgctactctcgggggctctggccctgacccagacctgggcgggctctcaGtccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtttgcccaagcccctcaccctgagatgggag（配列番号：４６）；
A*0231：
gctctcactccatgaggtatttcttcacatccgtgtcccggcccggccgcggggagccccgcttcatcgcagtgggctacgtggacgacacgcagttcgtgcggttcgacagcgacgccgGgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacgg（配列番号：４７）；
A*0233：
atggccgtcatggcgccccgaaccctcgtcctgctactctcgggggctctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtCtggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtttgcccaagcccctcaccctgagatgggag（配列番号：４８）；
A*0234：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaAgtgaaggcccaGtcacagactCaccgagtggacctggggaccctgcgcggctactacaaccagagcgaggccggttctcacaccGtccagaGgatgtatggctgcgacgtggggtcggacTggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagTTgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatggg（配列番号：４９）；
A*0235：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaAgtgaaggcccaGtcacagactgaccgagtggacctggggaccctgcgcggctactacaaccagagcgaggccggttctcacaccGtccagaGgatgtatggctgcgacgtggggtcggacTggcgcttcctccgcgggtaccaCcagTacgcctacgacggcaaggattacatcgccctgaaAgaggacctgcgctcttggaccgcggcggacatggcagctcagaCcaccaagcacaagtgggaggcggcccatgTggcggagcagtTgagagcctacctggagggcaCgtgcgtggagTggctccgcagatacctggagaacgggaaggagacgctgcagcgcacgg（配列番号：５０）；
A*0236：
gctctcactccatgaggtatttcttcacatccgtgtcccggcccggccgcggggagccccgcttcatcgcAgtgggctacgtggacgacacgcagttcgtgcggttcgacagcgacgccgcgagccagaggatggagccgcgggcgccgtggatagagcaggagggtccggagtattgggacgGggagacacggaaAgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaCcagTacgcctacgacggcaaggattacatcgccctgaaAgaggacctgcgctcttggaccgcggcggacatggcagctcagaCcaccaagcacaagtgggaggcggcccatgTggcggagcagtTgagagcctacctggagggcaCgtgcgtggacgggctccgcagatacctggagaacgggaaggagacgctgcagcgcacgg（配列番号：５１）；
A*0237：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccGtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcAcaagtgggaggcggcccatgTggcggagcagcAgagagcctacctggagggcaCgtgcgtggacgggctccgcagatacctggagaacgggaaggagacgctgcagcgcacgg（配列番号：５２）；
A*0238：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcAcaagtgggagAcggcccatgaggcggagcagcAgagagcctacctggagggccggtgcgtggagtggctccgcagatacctggagaacgggaaggagacgctgcagcgcacgg（配列番号：５３）；
A*0239：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtTtggctgcgacgtggggtcggacgggcgcttcctccgcgggtaccaccagtacgcctacgacggcaaggattacatcgccctgaaagaggacctgcgctcttggaccgcggcggacatggcGgctcagatcaccaagcAcaagtgggaggcggcccatgTggcggagcagtTgagagCctacctggagggcaCgtgcgtggaGTggctccgcagatacctggagaacgggaaggagacgctgcagcgcacgg（配列番号：５４）；
A*0240：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcAcaagtgggaggcggcccGtgTggcggagcagttgagagcctacctggagggcaCgtgcgtggagTggctccgcagatacctggagaacgggaaggagacgctgcagcgcacgg（配列番号：５５）；
A*0241：
gctctcactccatgaggtatttctacacCtccgtgtcccggcccggccgcggggagccccgcttcatcgcAgtgggctacgtggacgacacgcagttcgtgcggttcgacagcgacgccgcgagccagaggatggagccgcgggcgccgtggatagagcaggagggtccggagtattgggacgGggagacacggaaAgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccagcagTacgcctacgacggcaaggattacatcgccctgaaAgaggacctgcgctcttggaccgcggcggacatggcagctcagaCcaccaagcacaagtgggaggcggcccatgTggcggagcagtTgagagcctacctggagggcaCgtgcgtggagTggctccgcagatacctggagaacgggaaggagacgctgcagcgcacgg（配列番号：５６）；
A*0242：
gctctcactccatgaggtatttcttcacatccgtgtcccggcccggccgcggggagccccgcttcatcTcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacgg（配列番号：５７）；
A*0244：
gctctcactccatgaggtatttctacacCtccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccGtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagatcaccaagcgcaagtgggaggcggcccatgTggcggagcagcAgagagcctacctggagggcaCgtgcgtggagTggctccgcagatacctggagaacgggaaggagacgctgcagcgcacgg（配列番号：５８）；
A*0245：
gctctcactccatgaggtatttcttcacatccgtgtcccggcccggccgcggggagccccgcttcatcgcAgtgggctacgtggacgacacgcagttcgtgcggttcgacagcgacgccgcgagccagaggatggagccgcgggcgccgtggatagagcaggagggtccggagtattgggaccaggagacacggaaAgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaCcagTacgcctacgacggcaaggattacatcgccctgaaAgaggacctgcgctcttggaccgcggcggacatggcagctcagaCcaccaagcacaagtgggaggcggcccatgTggcggagcagtTgagagcctacctggagggcaCgtgcgtggagTggctccgcagatacctggagaacgggaaggagacgctgcagcgcacgg（配列番号：５９）；
A*0246：
atggccgtcatggcgccccgaaccctcgtcctgctactctcgggggcTctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacgaggagacaGggaaAgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagtTgagagcctacctggagggcaCgtgcgtggagtggctccgcagatacctggagaacgggaaggagacgctgcagcgcacgg（配列番号：６０）；
A*0247：
gctctcactccatgaggtatttcttcacatccgtgtcccggcccggccgcggggagccccgcttcatcgcagtgggctacgtggacgacacgcagttcgtgcggttcgacagcgacgccgcgagccggaggatggagccgcgggcgccgtggatagagcaggagggtccggagtattgggacggggagacacggaaagtgaaggcccactcacagaGtcaccgagtggacctggggaccctgcgcggctactacaaccagagcgaggccggttctcacaccctccagaggatgtatggctgcgacgtggggtcggactggcgcttcctgcgcgggtaccaccagtacgcctacgacggcaaggattacatcgccctgaaagaggacctgcgctcttggaccgcggcggacatggcagctcagaccaccaagcacaagtgggaggcggcccatgtggcggagcagtggagagcctacctggagggcacgtgcgtggagtggctccgcagatacctggagaacgggaaggagacgctgcagcgcacgg（配列番号：６１）；
A*0248：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcAcaagtgggaggcggcccatgTggcggagcagtTgagagCctacctggagggcaCgtgcgtggaGTggctccgcagatacctggagaacgggaaggagacgctgcagcgcacgg（配列番号：６２）；
A*0249：
gctctcactccatgaggtatttcttcacatccgtgtcccggcccggccgcggggagccccgcttcatcgcAgtgggctacgtggacgacacgcagttcgtgcggttcgacagcgacgccgcgagccagaggatggagccgcgggcgccgtggatagagcaggagggtccggagtattgggacgGggagacacggaaAgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaCcagTacgcctacgacggcaaggattacatcgccctgaaAgaggacctgcgctcttggaccgcggcggacatggcagctcagaCcaccaagcAcaagtgggaggcggcccatgTggcggagcagcggagagcctacctggagggcaCgtgcgtggagTggctccgcagatacctggagaacgggaaggagacgctgcagcgcacgg（配列番号：６３）；
A*0250：
gctcccactccatgaggtatttcttcacatccAtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacggggagacacggaaAgtgaaggcccactcacagactCaccgagtggacctggggaccctgcgcggctactacaaccagagcgaggccggttctcacaccatccagaggatgtatggctgcgacgtggggccggacgggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagtggagagcctacctggagggcacgtgcgtggagtggctccgcagatacctggagaacgggaaggagacgctgcagcgcacgg（配列番号：６４）；
A*0251：
gctctcactccatgaggtatttctacacCtccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcAcaagtgggaggcggcccGtgTggcggagcagttgagagcctacctggagggcaCgtgcgtggagTggctccgcagatacctggagaacgggaaggagacgctgcagcgcacgg（配列番号：６５）；
A*0252：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggacgggcgcttcctccgcgggtatgaAcagcacgcctacgacggcaaggattacatcgccctgaaagaggacctgcgctcttggaccgcggcggacatggcagctcagaccaccaagcAcaagtgggaggcggcccatgTggcggagcagtTgagagcctacctggagggcacgtgcgtggagtggctccgcagatacctggagaacgggaaggagacgctgcagcgcacgg（配列番号：６６）；
A*0254：
gctctcactccatgaggtatttctacacCtccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccGtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcAcaagtgggaggcggcccatgTggcggagcagcAgagagcctacctggagggcaCgtgcgtggacgggctccgcagatacctggagaacgggaaggagacgctgcagcgcacgg（配列番号：６７）；
A*0255：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggaggggccggagtattgggaccggaaCacacggaatgtgaaggcccactcacagactCaccgagtggacctggggaccctgcgcggctactacaaccagagcgaggccggttctcacaccGtccagaGgatgtatggctgcgacgtggggtcggacTggcgcttcctccgcgggtaccaCcagTacgcctacgacggcaaggattacatcgccctgaaAgaggacctgcgctcttggaccgcggcggacatggcagctcagaCcaccaagcacaagtgggaggcggcccatgTggcggagcagtTgagagcctacctggagggcaCgtgcgtggagTggctccgcagatacctggagaacgggaaggagacgctgcagcgcacgg（配列番号：６８）；
A*0256：atggccgtcatggcgccccgaaccctcgtcctgctactctcgggggcTctggccctgacccagacctgggcgggctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggaccaggagacacggaatgtgaaggcccaGtcacagactCaccgagtggacctggggaccctgcgcggctactacaaccagagcgaggccggttctcacaccGtccagaGgatgtatggctgcgacgtggggtcggacTggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagtTgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatggg（配列番号：６９）；
A*0257：
atggccgtcatggcgccccgaaccctcgtcctgctactctcgggggcTctggccctgacccagacctgggcgggctctcactccatgaggtatttctacacCtccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccCtccagatgatgtatggctgcgacgtggggtcggacTggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagtTgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：７０）；
A*0258：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccCtccagaGgatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcAcaagtgggaggcggcccatgTggcggagcagtTgagagCctacctggagggcaCgtgcgtggaGTggctccgcagatacctggagaacgggaaggagacgctgcagcgcacgg（配列番号：７１）；
A*0259：
gctctcactccatgaggtatttcttcacatccgtgtcccggcccggccgcgAggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagttgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtttgcccaagcccctcaccctgagatggg（配列番号：７２）；
A*0260：
gctctcactccatgaggtatttcttcacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagggtccggagtattgggacggggagacacggaaagtgaaggcccactcacagactcaccgagtggacctggggaccctgcgcggctactacaaccagagcgaggccggttctcacaccgtccagaggatgtatggctgcgacgtggggtcggactggcgcttcctccgcgggtaccaccagtTcgcctacgacggcaaggattacatcgccctgaaagaggacctgcgctcttggaccgcggcggacatggcagctcagaccaccaagcacaagtgggaggcggcccatgtggcggagcagtTgagagcctacctggagggcacgtgcgtggagtggctccgcagatacctggagaacgggaaggagacgctgcagcgcacgg（配列番号：７３）；
A*030101：
atggccgtcatggcgccccgaaccctcctcctgctactctcgggggccctggccctgacccagacctgggcgggctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccaGtcacagactgaccgagtgGacctggggaccctgcgcggctactacaaccagagcgaggccggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcggctcagatcaccaagcgcaagtgggaggcggcccatgAggcggagcagTTgagagcctacctggaTggcacgtgcgtggagtggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：７４）；
A*030102：
gctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccaGtcacagactgaccgagtgGacctggggaccctgcgcggctactacaaccagagcgaggccggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcggctcagatcaccaagcgcaagtgggaggcggcccatgAggcggagcagcTgagagcctacctggaTggcacgtgcgtggagtggctccgcagatacctggagaacgggaaggagacgctgcagcgcacgg（配列番号：７５）；
A*030103：
gctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggagggTccggagtattgggaccaggagacacggaatgtgaaggcccaGtcacagactgaccgagtgGacctggggaccctgcgcggctactacaaccagagcgaggccggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcggctcagatcaccaagcgcaagtgggaggcggcccatgAggcggagcagTTgagagcctacctggaTggcacgtgcgtggagtggctccgcagatacctggagaacgggaaggagacgctgcagcgcacgg（配列番号：７６）；
A*0302：
atggccgtcatggcgccccgaaccctcctcctgctactctcgggggccctggccctgacccagacctgggcgggctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggccggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcggctcagatcaccaagcgcaagtgggaggcggcccatgtggcggagcagcAgagagcctacctggaTggcacgtgcgtggagtggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：７７）；
A*0304：
atggccgtcatggcgccccgaaccctcctcctgctactctcgggggccctggccctgacccagacctgggcgggctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggccggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcggctcagatcaccaagcgcaagtgggaggcggcccatgaggcggagcagttgagagcctacctggaTggcacgtgcgtggagtggctccgcagatacctggagaacCggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：７８）；
A*0305：
tctcgggggccctggccctgacccagacctgggcgggctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccaGtcacagactgaccgagtgGacctggggaccctgcgcggctactacaaccagagcgaggCcggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcGgctcagatcaccaagcgcaagtgggaggcggcccatgAggcggagcagTTgagagcctacctggagggcaCgtgcgtggagtggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatggg（配列番号：７９）；
A*0306：
gctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggccggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcggctcagatcaccaagcgcaagtgggaggcggcccatgaggcggagcagttgagagcctacctggatgCcacgtgcgtggagtggctccgcagatacctggagaacgggaaggagacgctgcagcgcacgg（配列番号：８０）；
A*0307：
gctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggccggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcggctcagatcaccaagcgcaagtgggaggcggcccatgTggcggagcagTTgagagcctacctggaTggcacgtgcgtggagtggctccgcagatacctggagaacgggaaggagacgctgcagcgcacgg（配列番号：８１）；
A*0308：
gctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccactcacagactgaccgagtgGacctggggaccctgcgcggctactacaaccagagcgaggccggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcggctcagatcaccaagcgcaagtgggaggcggcccatgAggcggagcagTTgagagcctacctggaTggcacgtgcgtggagtggctccgcagatacctggagaacgggaaggagacgctgcagcgcacgg（配列番号：８２）；
A*0309：
gctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactCaccgagtgGacctggggaccctgcgcggctactacaaccagagcgaggccggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcggctcagatcaccaagcgcaagtgggaggcggcccatgAggcggagcagTTgagagcctacctggaTggcacgtgcgtggagtggctccgcagatacctggagaacgggaaggagacgctgcagcgcacgg（配列番号：８３）；
A*0310：
gctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtgGacctggggaccctgcgcggctactacaaccagagcgaggccggttctcacaccatccagataatgtatggctgcgacgtggggTcggacgggcgcttcctccgcgggtaccggcaggacgcctacgacggcaaggattacatcgccctgaacgaggacctgcgctcttggaccgcggcggacatggcGgctcagatcaccaagcgcaagtgggaggcggcccatgTggcggagcagcAgagagcctacctggagggcaCgtgcgtggaGTggctccgcagatacctggagaacgggaaggagacgctgcagcgcacgg（配列番号：８４）；
A*110101：
atggccgtcatggcgccccgaaccctcctcctgctactctcgggggccctggccctgacccagacctgggcgggctcccactccatgaggtatttctacacCtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccaGtcacagactgaccgagtgGacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggcccatgcggcggagcagcAgagagcctacctggagggccggtgcgtggaGTggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：８５）；
A*110102：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcAgacatggcagctcagatcaccaagcgcaagtgggaggcggcccatgcggcggagcagcagagagcctacctggagggccggtgcgtggagtggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatggg（配列番号：８６）；
A*1102：
atggccgtcatggcgccccgaaccctcctcctgctactctcgggggccctggccctgacccagacctgggcgggctcccactccatgaggtatttctacacctccgtgtcccggcccggccgcgggAagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggcccatgcggcggagcagcagagagcctacctggagggccggtgcgtggagtggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatggg（配列番号：８７）；
A*1103
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggcccGtgAggcggagcagcAgagagcctacctggagggccggtgcgtggagtggctccgcagatacctggagaacgggaaggagacgctgcagcgcacgg（配列番号：８８）；
A*1104：
atggccgtcatggcgccccgaaccctcctcctgctactctcgggggccctggccctgacccagacctgggcgggctcccactccatgaggtatttctacacCtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccaGtcacagactgaccgagtgGacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggcccatgcggcggagcagcAgagagcctacctggagggcaCgtgcgtggaGTggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：８９）；
A*1105：
atggccgtcatggcgccccgaaccctcctcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccGagcgcaagtgggaggcggcccatgcggcggagcagcagagagcctacctggagggccggtgcgtggagtggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：９０）；
A*1106：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccaGtcacagactCaccgagtgGacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggcccatgcggcggagcagcAgagagcctacctggagggccggtgcgtggaGTggctccgcagatacctggagaacgggaaggagacgctgcagcgcacgg（配列番号：９１）；
A*1107：
atggccgtcatggcgccccgaaccctcctcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggacggttctcacaccatccagataatgtatggctgcgacgtggggccggacgggcgcttActccgcgggtaccggcaggacgcctacgacggcaaggattacatcgccctgaacgaggacctgcgctcttggaccgcggcggacatggcagctcagatcaccaagcgcaagtgggaggcggcccatgcggcggagcagcagagagcctacctggagggccggtgcgtggagtggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：９２）；
A*1108：
gctcccactccatgaggtatttctacacCtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccaGtcacagactgaccgagtgGacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggcccatgAggcggagcagcggagagcctacctggagggccggtgcgtggagtggctccgcagatacctggagaacgggaaggagacgctgcagcgcacgg（配列番号：９３）；
A*1109：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggcccatgcggcggagcagcagagagcctacctgCagggccggtgcgtggagtggctccgcagatacctggagaacgggaaggagacgctgcagcgcacgg（配列番号：９４）；
A*1110：
gctcccactccatgaggtatttctacacCtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaaCacacggaatgtgaaggcccagtcacagactgaccgagtgGacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggcccatgcggcggagcagcAgagagcctacctggagggccggtgcgtggagTggctccgcagatacctggagaacgggaaggagacgctgcagcgcacgg（配列番号：９５）；
A*1111：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccTgcagacacggaatgtgaaggcccagtcacagactgaccgagtgGacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggcccatgcggcggagcagcAgagagcctacctggagggccggtgcgtggagTggctccgcagatacctggagaacgggaaggagacgctgcagcgcacgg（配列番号：９６）；
A*1112：
ggctcccactccatgaggtatttctacacCtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccaGtcacagactgaccgagtgGacctggggaccctgcgcggctactacaaccagagcgaggCcggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggcccatgcggcggagcagcAgagagcctacctggagggccggtgcgtggaGTggctccgcagatacctggagaacgggaaggagacgctgcagcgcacg（配列番号：９７）；
A*1113：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaGgcgcaagtgggaggcggcccatgcggcggagcagcagagagcctacctggagggccggtgcgtggagtggctccgcagatacctggagaacgggaaggagacgctgcagcgcacgg（配列番号：９８）；
A*1114：
ccctggccctgacccagacctgggcgggctcccactccatgaggtatttctacacctccgtgtcccggcccggccgcgggAagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggcccgtcGggcggagcagcagagagcctacctggagggccggtgcgtggagtggctccgcagatacctggagaacgggaaggagacgctgcagcgcacgg（配列番号：９９）；
A*2301：
atggccgtcatggcgccccgaaccctcgtcctgctactctcgggggccctggccctgacccagacctgggcaggctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaaGtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcacccagcgcaagtgggaggcggcccgtgtggcggagcagtTgagagCctacctggagggcacgtgcgtggacgggctccgcagatacctggagaacgggaaggagacgctgcagcgcacggacccccccaagacacatatgacccaccaccccatctctgaccatgaggccactctgagatgctgggccctgggcttctaccctgcggagatcacactgacctggcagcgggatggggaggaccagacccaggacacggagcttgtggagaccaggcctgcaggggatggaaccttccagaagtgggcAgctgtggtggtaccttctggagaggagcagagatacacctgccatgtgcagcatgagggtctgcccaagcccctcaccctgagatgggag（配列番号：１００）；
A*2302：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaAgaggacctgcgctcttggaccgcggcggacatggcggctcagatcacccagcgcaagtgggaggcggcccGtgTggcggagcagTggagagCctacctggagggcaCgtgcgtggacgggctccgcagatacctggagaacgggaaggagacgctgcagcgcacgg（配列番号：１０１）；
A*2303：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagTacgcctacgacggcaaggattacatcgccTtgaacgaggacctgcgctcttggaccgcggcggacatggcggctcagatcacccagcgcaagtgggaggcggcccGtgtggcggagcagtTgagagcctacctggagggcacgtgcgtggacgggctccgcagatacctggagaacgggaaggagacgctgcagcgcacgg（配列番号：１０２）；
A*2304：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaAgaggacctgcgctcttggaccgcggcggacatggcggctcagatcacccagcgcaagtgggaggcggcccGtgTggcggagcagtTgagagCctacctggagggcaCgtgcgtggaGTggctccgcagatacctggagaacgggaaggagacgctgcagcgcacgg（配列番号：１０３）；
A*2305：
gctcccactccatgaggtGtttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcacccagcgcaagtgggaggcggcccgtgtggcggagcagtTgagagcctacctggagggcacgtgcgtggacgggctccgcagatacctggagaacgggaaggagacgctgcagcgcacgg（配列番号：１０４）；
A*2306：
atggccgtcatggcgccccgaaccctcgtcctgctactctcgggggccctggccctgacccagacctgggcaggctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaacGagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcacccagcgcaagtgggaggcggcccgtgtggcggagcagttgagagcctacctggagggcacgtgcgtggacgggctccgcagatacctggagaacgggaaggagacgctgcagcgcacggacccccccaagacacatatgacccaccaccccatctctgaccatgaggccactctgagatgctgggccctgggcttctaccctgcggagatcacactgacctggcagcgggatggggaggaccagacccaggacacggagcttgtggagaccaggcctgcaggggatggaaccttccagaagtgggcagctgtggtggtaccttctggagaggagcagagatacacctgccatgtgcagcatgagggtctgcccaagcccctcaccctgagatgggag（配列番号：１０５）；
A*2309：
atggccgtcatggcgccccgaaccctcgtcctgctactctcgggggccctggccctgacccagacctgggcaggctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatatgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcacccagcgcaagtgggaggcggcccgtgtggcggagcagtTgagagCctacctggagggcacgtgcgtggacgggctccgcagatacctggagaacgggaaggagacgctgcagcgcacggacccccccaagacacatatgacccaccaccccatctctgaccatgaggccactctgagatgctgggccctgggcttctaccctgcggagatcacactgacctggcagcgggatggggaggaccagacccaggacacggagcttgtggagaccaggcctgcaggggatggaaccttccagaagtgggcAgctgtggtggtaccttctggagaggagcagagatacacctgccatgtgcagcatgagggtctgcccaagcccctcaccctgagatgggag（配列番号：１０６）；
A*240201：
atggccgtcatggcgccccgaaccctcgtcctgctactctcgggggccctggccctgacccagacctgggcaggctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctcCgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcAgagagCctacctggagggcacgtgcgtggacgggctccgcagatacctggagaacgggaaggagacgctgcagcgcacggacccccccaagacacatatgacccaccaccccatctctgaccatgaggccactctgagatgctgggccctgggcttctaccctgcggagatcacactgacctggcagcgggatggggaggaccagacccaggacacggagcttgtggagaccaggcctgcaggggatggaaccttccagaagtgggcAgctgtggtggtaccttctggagaggagcagagatacacctgccatgtgcagcatgagggtctgcccaagcccctcaccctgagatgggag（配列番号：１０７）；
A*240202：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctcCgctactacaaccagagcgaggCcggttctcacaccctccagatgatgtTtggctgcgacgtggggTcggacgggcgcttcctccgcgggtaccaccagTacgcctacgacggcaaggattacatcgccctgaaAgaggacctgcgctcttggaccgcggcggacatggcagctcagatcaccaagcgcaagtgggaggcggcccatgtggcggagcagcAgagagCctacctggagggcaCgtgcgtggacgggctccgcagatacctggagaacgggaaggagacgctgcagcgcacgg（配列番号：１０８）；
A*240203：
atggccgtcatggcgccccgaaccctcgtcctgctactctcgggggccctggccctgacccagacctgggcaggctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcagagagcctacctggagggcacgtgcgtggacgggctccgcagatacctggagaacgggaaggagacgctgcagcgcacggacccccccaagacacatatgacccaccaccccatctctgaccatgaggccactctgagatgctgggccctgggcttctaccctgcAgagatcacactgacctggcagcgggatggggaggaccagacccaggacacggagcttgtggagaccaggcctgcaggggatggaaccttccagaagtgggcagctgtggtggtaccttctggagaggagcagagatacacctgccatgtgcagcatgagggtctgcccaagcccctcaccctgagatgggag（配列番号：１０９）；
A*240204：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtaTgcctacgacggcaaggattacatcgccctgaaagaggacctgcgctcttggaccgcggcggacatggcggctcagatcaccaagcgcaagtgggaggcggcccatgtggcggagcagcagagagcctacctggagggcacgtgcgtggacgggctccgcagatacctggagaacgggaaggagacgctgcagcgcacgg（配列番号：１１０）；
A*240301：
atggccgtcatggcgccccgaaccctcgtcctgctactctcgggggccctggccctgacccagacctgggcaggctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcagagagCctacctggagggcacgtgcgtggagTggctccgcagatacctggagaacgggaaggagacgctgcagcgcacggacccccccaagacacatatgacccaccaccccatctctgaccatgaggccactctgagatgctgggccctgggcttctaccctgcggagatcacactgacctggcagcgggatggggaggaccagacccaggacacggagcttgtggagaccaggcctgcaggggatggaaccttccagaagtgggcAgctgtggtggtaccttctggagaggagcagagatacacctgccatgtgcagcatgagggtctgcccaagcccctcaccctgagatgggag（配列番号：１１１）；
A*240302：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcAgagagCctacctggagggcaCgtgcgtggaGTggctccgcagatacctggagaacgggaaggagacgctgcagcgcactg（配列番号：１１２）；
A*2404：
atggccgtcatggcgccccgaaccctcgtcctgctactctcgggggccctggccctgacccagacctgggcaggctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagcgaacctggggaccctgcgcggctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcAgagagCctacctggagggcacgtgcgtggacgggctccgcagatacctggagaacgggaaggagacgctgcagcgcacggacccccccaagacacatatgacccaccaccccatctctgaccatgaggccactctgagatgctgggccctgggcttctaccctgcggagatcacactgacctggcagcgggatggggaggaccagacccaggacacggagcttgtggagaccaggcctgcaggggatggaaccttccagaagtgggcAgctgtggtggtaccttctggagaggagcagagatacacctgccatgtgcagcatgagggtctgcccaagcccctcaccctgagatgggag（配列番号：１１３）；
A*2405：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccCagcgcaagtgggaggcggcccatgtggcggagcagcAgagagCctacctggagggcaCgtgcgtggacgggctccgcagatacctggagaacgggaaggagacgctgcagcgcacgg（配列番号：１１４）；
A*2406：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaAgaggacctgcgctcttggaccgcggcggacatggcGgctcagatcaccaagcgcaagtgggaggcggcccatgTggcggagcagTggagagCctacctggagggcaCgtgcgtggacgggctccgcagatacctggagaacgggaaggagacgctgcagcgcacgg（配列番号：１１５）；
A*2407：
atggccgtcatggcgccccgaaccctcgtcctgctactctcgggggccctggccctgacccagacctgggcaggctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccaGtcacagactgaccgagagaacctgcggatcgcgctcCgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcAgagagCctacctggagggcacgtgcgtggacgggctccgcagatacctggagaacgggaaggagacgctgcagcgcacggacccccccaagacacatatgacccaccaccccatctctgaccatgaggccactctgagatgctgggccctgggcttctaccctgcggagatcacactgacctggcagcgggatggggaggaccagacccaggacacggagcttgtggagaccaggcctgcaggggatggaaccttccagaagtgggcAgctgtggtggtaccttctggagaggagcagagatacacctgccatgtgcagcatgagggtctgcccaagcccctcaccctgagatgggag（配列番号：１１６）；
A*2408：
atggccgtcatggcgccccgaaccctcgtcctgctactctcgggggccctggccctgacccagacctgggcaggctcccaAtccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacggggagacacggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcagagagcctacctggagggcacgtgcgtggacgggctccgcagatacctggagaacgggaaggagacgctgcagcgcacggacccccccaagacacatatgacccaccaccccatctctgaccatgaggccactctgagatgctgggccctgggcttctaccctgcggagatcacactgacctggcagcgggatggggaggaccagacccaggacacggagcttgtggagaccaggcctgcaggggatggaaccttccagaagtgggcagctgtggtggtAccttctggagaggagcagagatacacctgccatgtgcagcatgagggtctgcccaagcccctcaccctgagatgggag（配列番号：１１７）；
A*2410：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcAgagagCctacctggagggccggtgcgtggaGTggctccgcagatacctggagaacgggaaggagacgctgcagcgcacgg（配列番号：１１８）；
A*2413：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaAgaggacctgcgctcttggaccgcggcggacatggcGgctcagatcaccaagcgcaagtgggaggcggcccatgTggcggagcagtTgagagCctacctggagggcaCgtgcgtggacgggctccgcagatacctggagaacgggaaggagacgctgcagcgcacgg（配列番号：１１９）；
A*2414：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctccgctactacaaccagagcgaggccggttctcacaccgtccagaggatgtatggctgcgacgtggggtcggacTggcgcttcctccgcgggtaccaccagTacgcctacgacggcaaggattacatcgccctgaaAgaggacctgcgctcttggaccgcggcggacatggcGgctcagatcaccaagcgcaagtgggaggcggcccatgtggcggagcagcAgagagCctacctggagggcaCgtgcgtggacgggctccgcagatacctggagaacgggaaggagacgctgcagcgcacgg（配列番号：１２０）；
A*2415：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctcCgctactacaaccagagcgaggCcggttctcacaccCtccagatgatgtatggctgcgacgtggggccggacgggcgcttcctccgcgggtaccaccagTacgcctacgacggcaaggattacatcgccctgaaAgaggacctgcgctcttggaccgcggcggacatggcGgctcagatcaccaagcgcaagtgggaggcggcccatgtggcggagcagcAgagagCctacctggagggcaCgtgcgtggacgggctccgcagatacctggagaacgggaaggagacgctgcagcgcacgg（配列番号：１２１）；
A*2417：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctcCgctactacaaccagagcgaggCcggttctcacaccctccagatgatgtTtggctgcgacgtggggTcggacgggcgcttcctccgcgggtaccggcaggacgcctacgacggcaaggattacatcgccctgaaAgaggacctgcgctcttggaccgcggcggacatggcGgctcagatcaccaagcgcaagtgggaggcggcccatgtggcggagcagcAgagagCctacctggagggcaCgtgcgtggacgggctccgcagatacctggagaacgggaaggagacgctgcagcgcacgg（配列番号：１２２）；
A*2418：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaAgaggacctgcgctcttggaccgcggcggacatggcggctcagatcaccaagcgcaagtgggaggcggcccatgAggcggagcagTTgagagcctacctggaTggcacgtgcgtggagtggctccgcagatacctggagaacgggaaggagacgctgcagcgcacgg（配列番号：１２３）；
A*2419：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccaGtcacagactgaccgagtgGacctggggaccctgcgcggctactacaaccagagcgaggacggttctcacaccctccagatgatgtTtggctgcgacgtggggTcggacgggcgcttcctccgcgggtaccaccagTacgcctacgacggcaaggattacatcgccctgaaAgaggacctgcgctcttggaccgcggcggacatggcGgctcagatcaccaagcgcaagtgggaggcggcccatgtggcggagcagcAgagagCctacctggagggcaCgtgcgtggacgggctccgcagatacctggagaacgggaaggagacgctgcagcgcacgg（配列番号：１２４）；
A*2420：
gctcccaatccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctcCgctactacaaccagagcgaggCcggttctcacaccctccagatgatgtTtggctgcgacgtggggTcggacgggcgcttcctccgcgggtaccaccagTacgcctacgacggcaaggattacatcgccctgaaAgaggacctgcgctcttggaccgcggcggacatggcGgctcagatcaccaagcgcaagtgggaggcggcccatgtggcggagcagcAgagagCctacctggagggcaCgtgcgtggacgggctccgcagatacctggagaacgggaaggagacgctgcagcgcacgg（配列番号：１２５）；
A*2421：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctcCgctactacaaccagagcgaggCcggttctcacaccctccagatgatgtTtggctgcgacgtggggTcggacgggcgcttcctccgcgggtaccaccagTacgcctacgacggcaaggattacatcgccctgaacgaggacctgcgctcttggaccgcggcggacatggcGgctcagatcaccaagcgcaagtgggaggcggcccatgtggcggagcagcAgagagCctacctggagggcaCgtgcgtggacgggctccgcagatacctggagaacgggaaggagacgctgcagcgcacgg（配列番号：１２６）；
A*2422：
atggccgtcatggcgccccgaaccctcgtcctgctactctcgggggccctggccctgacccagacctgggcaggctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagTggagagtctacctggagggcacgtgcgtggagTggctccgcagatacctggagaacgggaaggagacgctgcagcgcacggacccccccaagacacatatgacccaccaccccatctctgaccatgaggccactctgagatgctgggccctgggcttctaccctgcggagatcacactgacctggcagcgggatggggaggaccagacccaggacacggagcttgtggagaccaggcctgcaggggatggaaccttccagaagtgggcAgctgtggtggtaccttctggagaggagcagagatacacctgccatgtgcagcatgagggtctgcccaagcccctcaccctgagatgggag（配列番号：１２７）；
A*2423：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcAgagagCctacctggagggcaCgtgcgtggacTggctccgcagatacctggagaacgggaaggagacgctgcagcgcacgg（配列番号：１２８）；
A*2424：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccaGtcacagactgaccgagagaacctgcggatcgcgctccgctactacaaccagagcgaggccggttctcacaccctccagatgatgtTtggctgcgacgtggggtcggacgggcgcttcctccgcgggtaccaccagtacgcctacgacggcaaggattacatcgccctgaaAgaggacctgcgctcttggaccgcggcggacatggcggctcagatcacccagcgcaagtgggaggcggcccGtgTggcggagcagtTgagagCctacctggagggcaCgtgcgtggacgggctccgcagatacctggagaacgggaaggagacgctgcagcgcacgg（配列番号：１２９）；
A*2425：
gctcccactccatgaggtGtttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcAgagagcctacctggagggcacgtgcgtggacgggctccgcagatacctggagaacgggaaggagacgctgcagcgcacgg（配列番号：１３０）；
A*2426：
aaccctcctcctgctactctcgggggccctggccctgacccagacctgggcaggctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccAcgggtaccaccagtacgcctacgacggcaaggattacatcgccctgaaagaggacctgcgctcttggaccgcggcggacatggcggctcagatcaccaagcgcaagtgggaggcggcccatgtggcggagcagcagagagcctacctggagggcacgtgcgtggacgggctccgcagatacctggagaacgggaaggagacgctgcagcgcacgg（配列番号：１３１）；
A*2427：
atggccgtcatggcgccccgaaccctcgtcctgctactctcgggggccctggccctgacccagacctgggcaggctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacaGggcggctcagatcaccaagcgcaagtgggaggcggcccatgtggcggagcagcagagagcctacctggagggcacgtgcgtggacgggctccgcagatacctggagaacgggaaggagacgctgcagcgcacgg（配列番号：１３２）；
A*2428：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactcaccgagtgGacctggggaccctgcgcggctactacaaccagagcgaggCcggttctcacaccctccagatgatgtTtggctgcgacgtggggTcggacgggcgcttcctccgcgggtaccaccagTacgcctacgacggcaaggattacatcgccctgaaAgaggacctgcgctcttggaccgcggcggacatggcGgctcagatcaccaagcgcaagtgggaggcggcccatgtggcggagcagcAgagagCctacctggagggcaCgtgcgtggacgggctccgcagatacctggagaacgggaaggagacgctgcagcgcacgg（配列番号：１３３）；
A*2429：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacacggaaagtgaaggcccactcacagactgaccgagagaacctgcggatcgcgctcCgctactacaaccagagcgaggCcggttctcacaccctccagatgatgtTtggctgcgacgtggggtcggacgggcgcttcctccgcgggtaccaccagTacgcctacgacggcaaggattacatcgccctgaaAgaggacctgcgctcttggaccgcggcggacatggcGgctcagatcaccaagcgcaagtgggaggcggcccatgtggcggagcagcAgagagCctacctggagggcaCgtgcgtggacgggctccgcagatacctggagaacgggaaggagacgctgcagcgcacgg（配列番号：１３４）；
A*2430：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactCaccgagagaacctgcggatcgcgctcCgctactacaaccagagcgaggCcggttctcacaccctccagatgatgtTtggctgcgacgtggggTcggacgggcgcttcctccgcgggtaccaccagTacgcctacgacggcaaggattacatcgccctgaaAgaggacctgcgctcttggaccgcggcggacatggcGgctcagatcaccaagcgcaagtgggaggcggcccatgtggcggagcagcAgagagCctacctggagggcaCgtgcgtggacgggctccgcagatacctggagaacgggaaggagacgctgcagcgcacgg（配列番号：１３５）；
A*2431：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgagCagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgTggcggagcagcAgagagcctacctggagggcaCgtgcgtggacgggctccgcagatacctggagaacgggaaggagacgctgcagcgcacgg（配列番号：１３６）；
A*2432：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaGcctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaAgaggacctgcgctcttggaccgcggcggacatggcggctcagatcaccaagcgcaagtgggaggcggcccatgtggcggagcagcAgagagcctacctggagggcaCgtgcgtggacgggctccgcagatacctggagaacgggaaggagacgctgcagcgcacgg（配列番号：１３７）；
A*2433：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcGgctcagatcaccaagcgcaagtgggaggcggcccatgTggcggagcagcAgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatggg（配列番号：１３８）；
A*2434：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagaTtgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcAgagagcctacctggagggcacgtgcgtggacgggctccgcagatacctggagaacgggaaggagacgctgcagcgcacgg（配列番号：１３９）；
A*2435：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagccgTgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcagagagcctacctggagggcacgtgcgtggacgggctccgcagatacctggagaacgggaaggagacgctgcagcgcacgg（配列番号：１４０）；
A*2437：
gctcccactccatgaggtatttctccacatccgtgtcccggcccggccgcggggagccccgcttcatcgccgtgggctacgtggacgacacgcagttcgtgcggttcgacagcgacgccgcgagccagaggatggagcTgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcagagagcctacctggagggcacgtgcgtggacgggctccgcagatacctggagaacgggaaggagacgctgcagcgcacgg（配列番号：１４１）；
A*2438：
gctcccactccatgagCtatttctccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacagggaaagtgaaggcccactcacagactgaccgagagaacctgcggatcgcgctccgctactacaaccagagcgaggccggttctcacaccctccagatgatgtttggctgcgacgtggggtcggacgggcgcttcctccgcgggtaccaccagtacgcctacgacggcaaggattacatcgccctgaaagaggacctgcgctcttggaccgcggcggacatggcggctcagatcaccaagcgcaagtgggaggcggcccatgtggcggagcagcagagagcctacctggagggcacgtgcgtggacgggctccgcagatacctggagaacgggaaggagacgctgcagcgcacgg（配列番号：１４２）；
A*2501：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagagaGcctgcggatcgcgctccgctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagtggagagcctacctggagggccggtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggGaccttccagaagtgggcgtctgtggtggtgccttctggaCaggagcagagatacacctgccatgtgcagcatgagggtctgcccaagcccctcaccctgagatgggag（配列番号：１４３）；
A*2502：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccaGtcacagactgaccgagagaGcctgcggatcgcgctccgctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagtggagagcctacctggagggccggtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggGaccttccagaagtgggcgtctgtggtggtgccttctggaCaggagcagagatacacctgccatgtgcagcatgagggtctgcccaagcccctcaccctgagatgggag（配列番号：１４４）；
A*2503：
gctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagagaGcctgcggatcgcgctccgctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagAcggcccatgAggcggagcagTggagagcctacctggagggccggtgcgtggagTggctccgcagatacctggagaacgggaaggagacgctgcagcgcacgg（配列番号：１４５）；
A*2504：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagagaGcctgcggatcgcgctccgctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgAggcggagcagcAgagagcctacctggagggccggtgcgtggagTggctccgcagatacctggagaacgggaaggagacgctgcagcgcacgg（配列番号：１４６）；
A*2601：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaaCacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagTggagagcctacctggagggccggtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggGaccttccagaagtgggcgtctgtggtggtgccttctggacaggagcagagatacacctgccatgtgcagcatgagggtctgcccaagcccctcaccctgagatgggag（配列番号：１４７）；
A*2602：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccagcagAacgcttacgacggcaaggattacatcgccctgaacgaggacctgcgctcttggaccgcggcggacatggcggctcagatcacccagcgcaagtgggagacggcccatgaggcggagcagtggagagcctacctggagggccggtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatgggaccttccagaagtgggcgtctgtggtggtgccttctggacaggagcagagatacacctgccatgtgcagcatgagggtctgcccaagcccctcaccctgagatgggag（配列番号：１４８）；
A*2603：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactCaccgagtgGacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagTggagagcctacctggagggccggtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggGaccttccagaagtgggcgtctgtggtggtgccttctggacaggagcagagatacacctgccatgtgcagcatgagggtctgcccaagcccctcaccctgagatgggag（配列番号：１４９）；
A*2604：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagtggagagcctacctggagggccTgtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatgggaccttccagaagtgggcgtctgtggtggtgccttctggacaggagcagagatacacctgccatgtgcagcatgagggtctgcccaagcccctcaccctgagatgggag（配列番号：１５０）；
A*2605：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagAgaacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagTggagagcctacctggagggccggtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggGaccttccagaagtgggcgtctgtggtggtgccttctggacaggagcagagatacacctgccatgtgcagcatgagggtctgcccaagcccctcaccctgagatgggag（配列番号：１５１）；
A*2606：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactcaccgagtggacctggggaccctgcgcggctactacaaccagagcgaggacggttctcacaccatccagaggatgtatggctgcgacgtggggccggacgggcgcttcctccgcgggtaccagcGggacgcttacgacggcaaggattacatcgccctgaacgaggacctgcgctcttggaccgcggcggacatggcggctcagatcacccagcgcaagtgggagacggcccatgaggcggagcagtggagagcctacctggagggccggtgcgtggagtggctccgcagatacctggagaacgggaaggagacgctgcagcgcacgg（配列番号：１５２）；
A*2607：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacggggagacacggaaAgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagTggagagcctacctggagggccggtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggGaccttccagaagtgggcgtctgtggtggtgccttctggacaggagcagagatacacctgccatgtgcagcatgagggtctgcccaagcccctcaccctgagatgggag（配列番号：１５３）；
A*2608：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagcAgagagcctacctggagggccggtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggGaccttccagaagtgggcgtctgtggtggtgccttctggacaggagcagagatacacctgccatgtgcagcatgagggtctgcccaagcccctcaccctgagatgggag（配列番号：１５４）；
A*2609：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccAgcaggacgcttacgacggcaaggattacatcgccctgaacgaggacctgcgctcttggaccgcggcggacatggcggctcagatcaccCagcgcaagtgggagAcggcccatgAggcggagcagtggagagcctacctggagggcaCgtgcgtggagtggctccgcagatacctggagaacgggaaggagacgctgcagcgcacgg（配列番号：１５５）；
A*2610：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaaAgaggacctgcgctcttggaccgcggcggacatggcggctcagatcaccCagcgcaagtgggagAcggcccatgAggcggagcagTggagagcctacctggagggccggtgcgtggagtggctccgcagatacctggagaacgggaaggagacgctgcagcgcacgg（配列番号：１５６）；
A*2612：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcaccCagcgcaagtgggagAcggcccatgTggcggagcagTggagagcctacctggagggccggtgcgtggagtggctccgcagatacctggagaacgggaaggagacgctgcagcgcacgg（配列番号：１５７）；
A*2613：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccaGtcacagactgaccgagcgaacctggggaccctgcgcggctactacaaccagagcgaggacggttctcacaccatccagaggatgtatggctgcgacgtggggccggacgggcgcttcctccgcgggtaccAgcaggacgcttacgacggcaaggattacatcgccctgaacgaggacctgcgctcttggaccgcggcggacatggcggctcagatcaccCagcgcaagtgggagAcggcccatgAggcggagcagTggagagcctacctggagggccggtgcgtggagtggctccgcagatacctggagaacgggaaggagacgctgcagcgcacgg（配列番号：１５８）；
A*2614：
gctcccactccatgaggtatttctacacCtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaaCacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccAgcaggacgcTtacgacggcaaggattacatcgccctgaacgaggacctgcgctcttggaccgcggcggacatggcggctcagatcacccagcgcaagtgggaggcggcccatgAggcggagcagTggagagcctacctggagggccggtgcgtggagtggctccgcagatacctggagaacgggaaggagacgctgcagcgcacgg（配列番号：１５９）；
A*2615：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttGgacagcgacgccgcgagccagaggatggagccgcgggcgccgtggatagagcaggaggggccggagtattgggaccggaacacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagtggagagcctacctggagggccggtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatgggaccttccagaagtgggcgtctgtggtggtgccttctggacaggagcagagatacacctgccatgtgcagcatgagggtctgcccaagcccctcaccctgagatgggag（配列番号：１６０）；
A*2616：
gctcccactccatgaggtatttctCcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaaCacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccAgcaggacgcttacgacggcaaggattacatcgccctgaacgaggacctgcgctcttggaccgcggcggacatggcggctcagatcaccCagcgcaagtgggagAcggcccatgAggcggagcagTggagagcctacctggagggccggtgcgtggagtggctccgcagatacctggagaacgggaaggagacgctgcagcgcacgg（配列番号：１６１）；
A*2617：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagcgaacctggggaccctgcgcggctactacaaccagagcgaggacggtActcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagtggagagcctacctggagggccggtgcgtggagtggctccgcagatacctggagaacgggaaggagacgctgcagcgcacgg（配列番号：１６２）；
A*2618：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccAgcaggacgcTtacgacggcaaggattacatcgccctgaacgaggacctgcgctcttggaccgcggcggacatggcggctcagatcacccagcgcaagtgggaggcggcccGtgTggcggagcagTggagagcctacctggagggccggtgcgtggagtggctccgcagatacctggagaacgggaaggagacgctgcagcgcacgg（配列番号：１６３）；
A*29010101：
atggccgtcatggcgccccgaaccctcctcctgctactcttgggggccctggccctgacccagacctgggcgggctcccactccatgaggtatttcaccacatccgtgtcccggcccggccgcggggagccccgcttcatcgccgtgggctacgtggacgacacgcagttcgtgcggtttgacagcgacgccgcgagccagaggatggagccgcgggcaccgtggatagagcaggaggggccggagtattgggacctgcagacacggaatgtgaaggcccagtcacagactgaccgagcgaacctggggaccctgcgcggctactacaaccagagcgaggccggttctcacaccatccagatgatgtatggctgcCacgtggggtcggacgggcgcttcctccgcgggtaccggcaggacgcctacgacggcaaggattacatcgccttgaacgaggacctgcgctcttggaccgcggcggacatggcggctcagatcacccagcgcaagtgggaggcggcccgtgtggcggagcagttgagagcctacctggagggcacgtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagcttgtggagaccaggcctgcaggggatggaaccttccagaagtgggcgtctgtggtggtgccttctggacaggagcagagatacacctgccatgtgcagcatgagggtctgcccaagcccctcaccctgagatgggag（配列番号：１６４）；
A*2902：
atggccgtcatggcgccccgaaccctcctcctgctactcttgggggccctggccctgacccagacctgggcgggctcccactccatgaggtatttcaccacatccgtgtcccggcccggccgcggggagccccgcttcatcgccgtgggctacgtggacgacacgcagttcgtgcggtttgacagcgacgccgcgagccagaggatggagccgcgggcAccgtggatagagcaggaggggccggagtattgggacctgcagacacggaatgtgaaggcccagtcacagactgaccgagcgaacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccttgaacgaggacctgcgctcttggaccgcggcggacatggcggctcagatcacccagcgcaagtgggaggcggcccgtgtggcggagcagttgagagcctacctggagggcacgtgcgtggagTggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagcttgtggagaccaggcctgcaggggatggaaccttccagaagtgggcgtctgtggtggtgccttctggaCaggagcagagatacacctgccatgtgcagcatgagggtctgcccaagcccctcaccctgagatgggag（配列番号：１６５）；
A*2903：
atggccgtcatggcgccccgaaccctcctcctgctactcttgggggccctggccctgacccagacctgggcgggctcccactccatgaggtatttcaccacatccgtgtcccggcccggccgcggggagccccgcttcatcgccgtgggctacgtggacgacacgcagttcgtgcggtttgacagcgacgccgcgagccagaggatggagccgcgggcAccgtggatagagcaggaggggccggagtattgggacctgcagacacggaatgtgaaggcccagtcacagactgaccgagcgaacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccttgaacgaggacctgcgctcttggaccgcggcggacatggcggctcagatcacccagcgcaagtgggaggcggcccgtgtggcggagcagttgagagcctacctggagggcacgtgcgtggacgggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagcttgtggagaccaggcctgcaggggatggaaccttccagaagtgggcgtctgtggtggtgccttctggaCaggagcagagatacacctgccatgtgcagcatgagggtctgcccaagcccctcaccctgagatgggag（配列番号：１６６）；
A*2904：
gctcccactccatgaggtatttcaccacatccgtgtcccggcccggccgcggggagccccgcttcatcgccgtgggctacgtggacgacacgcagttcgtgcggtttgacagcgacgccgcgagccagaggatggagccgcgggcaccgtggatagagcaggaggggccggagtattgggacctgcagacacggCatgtgaaggcccagtcacagactgaccgagcgaacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccttgaacgaggacctgcgctcttggaccgcggcggacatggcggctcagatcacccagcgcaagtgggaggcggcccGtgtggcggagcagttgagagcctacctggagggcacgtgcgtggagtggctccgcagatacctggagaacgggaaggagacgctgcagcgcacgg（配列番号：１６７）；
A*2905：
gctcccactccatgaggtatttcaccacatccgtgtcccggcccggccgcggggagccccgcttcatcgccgtgggctacgtggacgacacgcagttcgtgcggtttgacagcgacgccgcgagccagaggatggagccgcgggcAccgtggatagagcaggaggggccggagtattgggacctgcagacacggaatgtgaaggcccagtcacagactgaccgagcgaacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccttgaacgaggacctgcgctcttggaccgcggcggacatggcggctcagatcacccagcgcaagtgggaggcggcccatgaggcggagcagcAgagagcctacctggagggcacgtgcgtggagTggctccgcagatacctggagaacgggaaggagacgctgcagcgcacgg（配列番号：１６８）；
A*2906：
gctcccactccatgaggtatttcaccacatccgtgtcccggcccggccgcggggagccccgcttcatcgccgtgggctacgtggacgacacgcagttcgtgcggtttgacagcgacgccgcgagccagaggatggagccgcgggcAccgtggatagagcaggaggggccggagtattgggacctgcagacacggaatgtgaaggcccagtcacagactgaccgagcgaacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccttgaacgaggacctgcgctcttggaccgcggcggacatggcggctcagatcacccagcgcaagtgggaggcggcccgtgtggcggagcagtTgagagcctacctggagggcacgtgcgtggagTggctccgcagatacctggagaacgggaaggagacgctgcagcgcgcgg（配列番号：１６９）；
A*2907：
gctcccactccatgaggtatttcaccacatccgtgtcccggcccggccgcggggagccccgcttcatcgccgtgggctacgtggacgacacgcagttcgtgcggtttgacagcgacgccgcgagccagaggatggagccgcgggcAccgtggatagagcaggaggggccggagtattgggacctgcagacacggaatgtgaaggcccagtcacagactgaccgagcgaacctggggaccctgcgcggctactacaaccagagcgaggccggttctcacaccctccagatgatgtTtggctgcgacgtggggtcggacgggcgcttcctccgcgggtaccggcaggacgcctacgacggcaaggattacatcgccttgaacgaggacctgcgctcttggaccgcggcggacatggcggctcagatcacccagcgcaagtgggaggcggcccgtgtggcggagcagtTgagagcctacctggagggcacgtgcgtggagTggctccgcagatacctggagaacgggaaggagacgctgcagcgcacgg（配列番号：１７０）；
A*3001：
atggccgtcatggcgccccgaaccctcctcctgctactctcgggggccctggccctgacccagacctgggcgggctcccactccatgaggtatttctCcacatccgtgtcccggcccggcagtggagagccccgcttcatcgcagtgggctacgtggacgacacgcagttcgtgcggttcgacagcgacgccgcgagccagaggatggagccgcgggcgccgtggatagagcaggagaggccTgagtattgggaccaggagacacggaatgtgaaggcccagtcacagactgaccgagtggacctggggaccctgcgcggctactacaaccagagcgaggccggttctcacaccatccagataatgtatggctgcgacgtggggtcggacgggcgcttcctccgcgggtatgaacagcacgcctacgacggcaaggattacatcgccctgaacgaggacctgcgctcttggaccgcggcggacatggcggctcagatcacccagcgcaagtgggaggcggcccgtTgggcggagcagttgagagcctacctggagggcacgtgcgtggagtggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：１７１）；
A*3002：
atggccgtcatggcgccccgaaccctcctcctgctactctcgggggccctggccctgacccagacctgggcgggctcccactccatgaggtatttctccacatccgtgtcccggcccggcagtggAgagccccgcttcatcgcagtgggctacgtggacgacacgcagttcgtgcggttcgacagcgacgccgcgagccagaggatggagccgcgggcgccgtggatagagcaggagaggccTgagtattgggaccaggagacacggaatgtgaaggcccactcacagactgaccgagagaacctggggaccctgcgcggctactacaaccagagcgaggccggttctcacaccatccagataatgtatggctgcgacgtggggtcggacgggcgcttcctccgcgggtatgaacagcacgcctacgacggcaaggattacatcgccctgaacgaggacctgcgctcttggaccgcggcggacatggcggctcagatcacccagcgcaagtgggaggcggcccgtCgggcggagcagttgagagcctacctggagggcaCgtgcgtggagTggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：１７２）；
A*3003：
ggctcccactccatgaggtatttctccacatccgtgtcccggcccggcagtggAgagccccgcttcatcgcagtgggctacgtggacgacacgcagttcgtgcggttcgacagcgacgccgcgagccagaggatggagccgcgggcgccgtggatagagcaggaggggccggagtattgggaccaggagacacggaatgtgaaggcccactcacagactgaccgagagaacctggggaccctgcgcggctactacaaccagagcgaggccggttctcacaccatccagataatgtatggctgcgacgtggggtcggacgggcgcttcctccgcgggtatgaacagcacgcctacgacggcaaggattacatcgccctgaacgaggacctgcgctcttggaccgcggcggacatggcggctcagatcacccagcgcaagtgggaggcggcccgtCgggcggagcagttgagagcctacctggagggcaCgtgcgtggagTggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagag（配列番号：１７３）；
A*3004：
gctcccactccatgaggtatttctccacatccgtgtcccggcccggcagtggAgagccccgcttcatcgcagtgggctacgtggacgacacgcagttcgtgcggttcgacagcgacgccgcgagccagaggatggagccgcgggcgccgtggatagagcaggagaggcctgagtattgggaccaggagacacggaatgtgaaggcccactcacagactgaccgagagaacctggggaccctgcgcggctactacaaccagagcgaggccggttctcacaccatccagataatgtatggctgcgacgtggggtcggacgggcgcttcctccgcgggtatgaacagcacgcctacgacggcaaggattacatcgccctgaacgaggacctgcgctcttggaccgcggcggacatggcggctcagatcacccagcgcaagtgggaggcggcccatgTggcggagcagtggagagcctacctggagggcacgtgcgtggagTggctccgcagatacctggagaacgggaaggagacgctgcagcgcacgg（配列番号：１７４）；
A*3006：
gctcccactccatgaggtatttctccacatccgtgtcccggcccggcagtggagagccccgcttcatcgcagtgggctacgtggacgacGcgcagttcgtgcggttcgacagcgacgccgcgagccagaggatggagccgcgggcgccgtggatagagcaggagaggcctgagtattgggaccaggagacacggaatgtgaaggcccactcacagactgaccgagagaacctggggaccctgcgcggctactacaaccagagcgaggccggttctcacaccatccagataatgtatggctgcgacgtggggtcggacgggcgcttcctccgcgggtatgaacagcacgcctacgacggcaaggattacatcgccctgaacgaggacctgcgctcttggaccgcggcggacatggcggctcagatcacccagcgcaagtgggaggcggcccatgtggcggagcagtggagagcctacctggagggcacgtgcgtggagtggctccgcagatacctggagaacgggaaggagacgctgcagcgcacgg（配列番号：１７５）；
A*3007：
gctcccactccatgaggtatttctccacatccgtgtcccggcccggcagtggagagccccgcttcatcgcagtgggctacgtggacgacacgcagttcgtgcggttcgacagcgacgccgcgagccagaggatggagccgcgggcgccgtggatagagcaggagaggcctgagtattgggacgaggagacagggaaAgtgaaggcccactcacagactgaccgagagaacctggggaccctgcgcggctactacaaccagagcgaggccggttctcacaccatccagataatgtatggctgcgacgtggggtcggacgggcgcttcctccgcgggtatgaacagcacgcctacgacggcaaggattacatcgccctgaacgaggacctgcgctcttggaccgcggcggacatggcggctcagatcacccagcgcaagtgggaggcggcccgtCgggcggagcagttgagagcctacctggagggcaCgtgcgtggagTggctccgcagatacctggagaacgggaaggagacgctgcagcgcacgg（配列番号：１７６）；
A*3008：
atggccgtcatggcgccccgaaccctcctcctgctactctcgggggccctggccctgacccagacctgggcgggctctcactccatgaggtatttctacacCtccgtgtcccggcccggcagtggagagccccgcttcatcgcagtgggctacgtggacgacacgcagttcgtgcggttcgacagcgacgccgcgagccagaggatggagccgcgggcgccgtggatagagcaggagaggccTgagtattgggaccaggagacacggaatgtgaaggcccagtcacagactgaccgagtggacctggggaccctgcgcggctactacaaccagagcgaggccggttctcacaccatccagataatgtatggctgcgacgtggggtcggacgggcgcttcctccgcgggtatgaacagcacgcctacgacggcaaggattacatcgccctgaacgaggacctgcgctcttggaccgcggcggacatggcggctcagatcacccagcgcaagtgggaggcggcccgtTgggcggagcagttgagagcctacctggagggcacgtgcgtggagtggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：１７７）；
A*3009：
gctcccactccatgaggtatttctccacatccgtgtcccggcccggcagtggAgagccccgcttcatcgcagtgggctacgtggacgacacgcagttcgtgcggttcgacagcgacgccgcgagccagaggatggagccgcgggcgccgtggatagagcaggagaggcctgagtattgggaccaggagacacggaatgtgaaggcccactcacagactgaccgagagaacctggggaccctgcgcggctactacaaccagagcgaggccggttctcacaccatccagataatgtatggctgcgacgtggggtcggacgggcgcttcctccgcgggtatgaacagcacgcctacgacggcaaggattacatcgccctgaacgaggacctgcgctcttggaccgcggcggacatggcggctcagatcacccagcgcaagtgggaggcggcccgtgTggcggagcagtTgagagcctacctggagggcacgtgcgtggagTggctccgcagatacctggagaacgggaaggagacgctgcagcgcacgg（配列番号：１７８）；
A*3010：
gctcccactccatgaggtatttctccacatccgtgtcccggcccggcagtggagagccccgcttcatcgcagtgggctacgtggacgacacgcagttcgtgcggttcgacagcgacgccgcgagccagaggatggagccgcgggcgccgtggatagagcaggagaggcctgagtattgggaccaggagacacggaatgtgaaggcccactcacagactgaccgagagaacctggggaccctgcgcggctactacaaccagagcgaggccggttctcacaccatccagataatgCatggctgcgacgtggggtcggacgggcgcttcctccgcgggtatgaacagcacgcctacgacggcaaggattacatcgccctgaacgaggacctgcgctcttggaccgcggcggacatggcggctcagatcacccagcgcaagtgggaggcggcccgtcgggcggagcagttgagagcctacctggagggcacgtgcgtggagtggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatggg（配列番号：１７９）；
A*3011：
gctcccactccatgaggtatttctCcacatccgtgtcccggcccggcagtggagagccccgcttcatcgcagtgggctacgtggacgacacgcagttcgtgcggttcgacagcgacgccgcgagccagaggatggagccgcgggcgccgtggatagagcaggaggggccggagtattgggaccaggagacacggaatgtgaaggcccagtcacagactgaccgagtggacctggggaccctgcgcggctactacaaccagagcgaggccggttctcacaccatccagataatgtatggctgcgacgtggggtcggacgggcgcttcctccgcgggtatgaacagcacgcctacgacggcaaggattacatcgccctgaacgaggacctgcgctcttggaccgcggcggacatggcggctcagatcacccagcgcaagtgggaggcggcccgtTgggcggagcagttgagagcctacctggagggcacgtgcgtggagtggctccgcagatacctggagaacgggaaggagacgctgcagcgcacgg（配列番号：１８０）；
A*3012：
gctcccactccatgaggtatttctccacatccgtgtcccggcccggccgcggggagccccgcttcatcgcagtgggctacgtggacgacacgcagttcgtgcggttcgacagcgacgccgcgagccagaggatggagccgcgggcgccgtggatagagcaggagaggccTgagtattgggaccaggagacacggaatgtgaaggcccactcacagactgaccgagagaacctggggaccctgcgcggctactacaaccagagcgaggccggttctcacaccatccagataatgtatggctgcgacgtggggtcggacgggcgcttcctccgcgggtatgaacagcacgcctacgacggcaaggattacatcgccctgaacgaggacctgcgctcttggaccgcggcggacatggcggctcagatcacccagcgcaagtgggaggcggcccgtCgggcggagcagttgagagcctacctggagggcaCgtgcgtggagTggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatggg（配列番号：１８１）；
A*310102：
atggccgtcatggcgccccgaaccctcctcctgctactcttgggggccctggccctgacccagacctgggcgggctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggagaggccTgagtattgggaccaggagacacggaatgtgaaggcccactcacagattgaccgagtggacctggggaccctgcgcggctactacaaccagagcgaggccggttctcacaccatccagatgatgtatggctgcgacgtggggtcggacgggcgcttcctccgcgggtaccagcaggacgcctacgacggcaaggattacatcgccTtgaacgaggacctgcgctcttggaccgcggcggacatggcggctcagatcacccagcgcaagtgggaggcggcccgtgtggcggagcagttgagagcctacctggagggcacgtgcgtggagtggctccgcagatacctggagaacgggaaggagacgctgcagcgcacggacccccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggaaccttccagaagtgggcgtctgtggtggtgccttctggacaggagcagagatacacctgccatgtgcagcatgagggtctCcccaagcccctcaccctgagatgggag（配列番号：１８２）；
A*3102：
gctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggagaggcctgagtattgggaccaggagacacggaaAgtgaaggcccactcacagaTtgaccgagtggacctggggaccctgcgcggctactacaaccagagcgaggccggttctcacaccatccagatgatgtatggctgcgacgtggggTcggacgggcgcttcctccgcgggtaccAgcaggacgcctacgacggcaaggattacatcgccTtgaacgaggacctgcgctcttggaccgcggcggacatggcggctcagatcacccagcgcaagtgggaggcggcccGtgtggcggagcagtTgagagcctacctggagggcacgtgcgtggagTggctccgcagatacctggagaacgggaaggagacgctgcagcgcacgg（配列番号：１８３）；
A*3103：
gctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggagaggcctgagtattgggaccaggagacacggaatgtgaaggcccactcacagaTtgaccgagtggacctggggaccctgcgcggctactacaaccagagcgaggacggttctcacaccatccagataatgtatggctgcgacgtggggtcggacgggcgcttcctccgcgggtaccggcaggacgcTtacgacggcaaggattacatcgccctgaacgaggacctgcgctcttggaccgcggcggacatggcggctcagatcacccagcgcaagtgggaggcggcccGtgtggcggagcagtTgagagcctacctggagggcacgtgcgtggagTggctccgcagatacctggagaacgggaaggagacgctgcagcgcacgg（配列番号：１８４）；
A*3104：
atggccgtcatggcgccccgaaccctcctcctgctactcttgggggccctggccctgacccagacctgggcgggctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggagaggcctgagtattgggaccaggagacacggaatgtgaaggcccactcacagattgaccgagtggacctggggaccctgcgcggctactacaaccagagcgaggccggttctcacaccatccagataatgtatggctgcgacgtggggtcggacgggcgcttcctccgcgggtaccggcaggacgcTtacgacggcaaggattacatcgccctgaacgaggacctgcgctcttggaccgcggcggacatggcggctcagatcacccagcgcaagtgggaggcggcccgtgtggcggagcagttgagagcctacctggagggcacgtgcgtggagtggctccgcagatacctggagaacgggaaggagacgctgcagcgcacggacccccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggaaccttccagaagtgggcgtctgtggtggtgccttctggacaggagcagagatacacctgccatgtgcagcatgagggtctCcccaagcccctcaccctgagatgggag（配列番号：１８５）；
A*3105：
gctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggagaggccTgagtattgggaccaggagacacggaatgtgaaggcccactcacagaTtgaccgagtggacctggggaccctgcgcggctactacaaccagagcgaggccggttctcacaccatccagatgatgtatggctgcgacgtggggTcggacgggcgcttcctccgcgggtaccAgcaggacgcctacgacggcaaggattacatcgccTtgaacgaggacctgcgctcttggaccgcggcggacatggcggctcagatcacccagcgcaagtgggaggcggcccGtgtggcggagcagtTgagagcctacctggagggcacgtgcgtggacgggctccgcagatacctggagaacgggaaggagacgctgcagcgcacgg（配列番号：１８６）；
A*3106：
gctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggagaggccTgagtattgggaccaggagacacggaatgtgaaggcccactcacagaTtgaccgagtggacctggggaccctgcgcggctactacaaccagagcgaggccggttctcacaccatccagatgatgtatggctgcgacgtggggTcggacgggcgcttcctccgcgggtaccggcaggacgcctacgacggcaaggattacatcgccTtgaacgaggacctgcgctcttggaccgcggcggacatggcggctcagatcacccagcgcaagtgggaggcggcccGtgtggcggagcagtTgagagcctacctggagggcacgtgcgtggagTggctccgcagatacctggagaacgggaaggagacgctgcagcgcacgg（配列番号：１８７）；
A*3107：
gctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggagaggccTgagtattgggaccaggagacacggaaagtgaaggcccactcacagactgaccgagagaacctgcggatcgcgctcCgctactacaaccagagcgaggccggttctcacaccatccagatgatgtatggctgcgacgtggggtcggacgggcgcttcctccgcgggtaccAgcaggacgcctacgacggcaaggattacatcgccTtgaacgaggacctgcgctcttggaccgcggcggacatggcggctcagatcacccagcgcaagtgggaggcggcccgtgTggcggagcagtTgagagcctacctggagggcacgtgcgtggagTggctccgcagatacctggagaacgggaaggagacgctgcagcgcacgg（配列番号：１８８）；
A*3108：
gctcccactccatgaggtatttcAccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacgaggagacaGggaaagtgaaggcccactcacagactgaccgagagaacctgcggatcgcgctcCgctactacaaccagagcgaggccggttctcacaccatccagatgatgtatggctgcgacgtggggtcggacgggcgcttcctccgcgggtaccAgcaggacgcctacgacggcaaggattacatcgccTtgaacgaggacctgcgctcttggaccgcggcggacatggcggctcagatcacccagcgcaagtgggaggcggcccgtgtggcggagcagtTgagagcctacctggagggcacgtgcgtggagTggctccgcagatacctggagaacgggaaggagacgctgcagcgcacgg（配列番号：１８９）；
A*3109：
gctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggagaggcctgagtattgggaccaggagacacggaatgtgaaggGccactcacagattgaccgagtggacctggggaccctgcgcggctactacaaccagagcgaggccggttctcacaccatccagatgatgtatggctgcgacgtggggtcggacgggcgcttcctccgcgggtaccagcaggacgcctacgacggcaaggattacatcgccttgaacgaggacctgcgctcttggaccgcggcggacatggcggctcagatcacccagcgcaagtgggaggcggcccgtgtggcggagcagttgagagcctacctggagggcacgtgcgtggagtggctccgcagatacctggagaacgggaaggagacgctgcagcgcacgg（配列番号：１９０）；
A*3201：
atggccgtcatggcgccccgaaccctcctcctgctactcttgggggccctggccctgacccagacctgggcgggctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagactgaccgagagaGcctgcggatcgcgctccgctactacaaccagagcgaggccggttctcacaccatccagatgatgtatggctgcgacgtggggccggacgggcgcctcctccgcgggtaccagcaggacgcctacgacggcaaggattacatcgccttgaacgaggacctgcgctcttggaccgcggcggacatggcggctcagatcacccagcgcaagtgggaggcggcccgtgtggcggagcagtTgagagcctacctggagggcacgtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctTgtggagaccaggcctgcaggggatggaaccttccagaagtgggcgtctgtggtggtgccttctggaCaggagcagagatacacctgccatgtgcagcatgagggtctgcccaagcccctcaccctgagatgggag（配列番号：１９１）；
A*3202：
atggccgtcatggcgccccgaaccctcctcctgctactcttgggggccctggccctgacccagacctgggcgggctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagactgaccgagagaGcctgcggatcgcgctccgctactacaaccagagcgaggccggttctcacaccatccagatgatgtatggctgcgacgtggggccggacgggcgcctcctccgcgggtaccagcaggacgcctacgacggcaaggattacatcgccttgaacgaggacctgcgctcttggaccgcggcggacatggcggctcagatcacccagcgcaagtgggaggcggcccatgtggcggagcagcAgagagcctacctggagggcacgtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctTgtggagaccaggcctgcaggggatggaaccttccagaagtgggcgtctgtggtggtgccttctggaCaggagcagagatacacctgccatgtgcagcatgagggtctgcccaagcccctcaccctgagatgggag（配列番号：１９２）；
A*3203：
gctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagactgaccgagagaacctgcggatcgcgctcCgctactacaaccagagcgaggccggttctcacaccatccagatgatgtatggctgcgacgtggggccggacgggcgcCtcctccgcgggtaccagcaggacgcctacgacggcaaggattacatcgccttgaacgaggacctgcgctcttggaccgcggcggacatggcggctcagatcacccagcgcaagtgggaggcggcccGtgtggcggagcagtTgagagcctacctggagggcacgtgcgtggagtggctccgcagatacctggagaacgggaaggagacgctgcagcgcacgg（配列番号：１９３）；
A*3204：
gctcccactccatgaggtatttcttcacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccaggagacacggaatgtgaaggcccactcacagactgaccgagagaGcctgcggatcgcgctccgctactacaaccagagcgaggccggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcggctcagatcaccaagcgcaagtgggaggcggcccatgaggcggagcagttgagagcctacctggaTggcaCgtgcgtggagTggctccgcagatacctggagaacgggaaggagacgctgcagcgcacgg（配列番号：１９４）；
A*3205：
atggccgtcatggcgccccgaaccctcctcctgctactcttgggggccctggccctgacccagacctgggcgggctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacagggaaAgtgaaggcccactcacagactgaccgagagaGcctgcggatcgcgctccgctactacaaccagagcgaggccggttctcacaccatccagatgatgtatggctgcgacgtggggccggacgggcgcctcctccgcgggtaccagcaggacgcctacgacggcaaggattacatcgccttgaacgaggacctgcgctcttggaccgcggcggacatggcggctcagatcacccagcgcaagtgggaggcggcccgtgtggcggagcagtTgagagcctacctggagggcacgtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctTgtggagaccaggcctgcaggggatggaaccttccagaagtgggcgtctgtggtggtgccttctggaCaggagcagagatacacctgccatgtgcagcatgagggtctgcccaagcccctcaccctgagatgggag（配列番号：１９５）；
A*3206：
gctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagactgaccgagagaGcctgcggatcgcgctccgctactacaaccagagcgaggccggttctcacaccatccagatgatgtatggctgcgacgtggggccggacgggcgcctcctccgcgggtaccagcaggacgcctacgacggcaaggattacatcgccttgaacgaggacctgcgctcttggaccgcggcggacatggcggctcagatcacccagcgcaagtgggaggcggcccatgTggcggagcagtTgagagcctacctggagggcaCgtgcgtggagTggctccgcagatacctggagaacgggaaggagacgctgcagcgcacgg（配列番号：１９６）；
A*3207：
gctcccactccatgaggtatttctCcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagactgaccgagagaGcctgcggatcgcgctccgctactacaaccagagcgaggccggttctcacaccatccagatgatgtatggctgcgacgtggggccggacgggcgcctcctccgcgggtaccagcaggacgcctacgacggcaaggattacatcgccttgaacgaggacctgcgctcttggaccgcggcggacatggcggctcagatcacccagcgcaagtgggaggcggcccGtgTggcggagcagtTgagagcctacctggagggcaCgtgcgtggagTggctccgcagatacctggagaacgggaaggagacgctgcagcgcacgg（配列番号：１９７）；
A*3301：
atggccgtcatggcgccccgaaccctcctcctgctactcttgggggccctggccctgacccagacctgggcgggctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagattgaccgagtggacctggggaccctgcgcggctactacaaccagagcgaggccggttctcacaccatccagatgatgtatggctgcgacgtggggtcggacgggcgcttcctccgcgggtaccagcaggacgcctacgacggcaaggattacatcgccttgaacgaggacctgcgctcttggaccgcggcggacatggcggctcagatcacccagcgcaagtgggaggcggcccgtgtggcggagcagttgagagcctacctggagggcacgtgcgtggagtggctccgcagacacctggagaacgggaaggagacgctgcagcgcacggacccccccaGgacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggaaccttccagaagtgggcgtctgtggtggtgccttctggacaggagcagagatacacctgccatgtgcagcatgagggtctccccaagcccctcaccctgagatgggag（配列番号：１９８）；
A*3303：
atggccgtcatggcgccccgaaccctcctcctgctactcttgggggccctggccctgacccagacctgggcgggctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaaCacacggaatgtgaaggcccactcacagattgaccgagtggacctggggaccctgcgcggctactacaaccagagcgaggccggttctcacaccatccagatgatgtatggctgcgacgtggggtcggacgggcgcttcctccgcgggtaccagcaggacgcctacgacggcaaggattacatcgccTtgaacgaggacctgcgctcttggaccgcggcggacatggcggctcagatcacccagcgcaagtgggaggcggcccgtgtggcggagcagttgagagcctacctggagggcacgtgcgtggagtggctccgcagatacctggagaacgggaaggagacgctgcagcgcacggacccccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggaaccttccagaagtgggcgtctgtggtggtgccttctggacaggagcagagatacacctgccatgtgcagcatgagggtctCcccaagcccctcaccctgagatgggag（配列番号：１９９）；
A*3304：
gctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagattgaccgagtggacctggggaccctgcgcggctactacaaccagagcgaggccggttctcacaccatccagatgatgtatggctgcgacgtggggtcggacgggcgcttcctccgcgggtaccagcaggacgcctacgacggcaaggattacatcgccttgaacgaggacctgagctcCtggaccgcggcggacatggcggctcagatcacccagcgcaagtgggaggcggcccgtgtggcggagcagttgagagcctacctggagggcacgtgcgtggagtggctccgcagacacctggagaacgggaaggagacgctgcagcgcacgg（配列番号：２００）；
A*3305：
gctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatagagcGggaggggccggagtattgggaccggaacacacggaatgtgaaggcccactcacagattgaccgagtggacctggggaccctgcgcggctactacaaccagagcgaggccggttctcacaccatccagatgatgtatggctgcgacgtggggtcggacgggcgcttcctccgcgggtaccagcaggacgcctacgacggcaaggattacatcgccttgaacgaggacctgcgctcttggaccgcggcggacatggcggctcagatcacccagcgcaagtgggaggcggcccgtgtggcggagcagttgagagcctacctggagggcacgtgcgtggagtggctccgcagacacctggagaacgggaaggagacgctgcagcgcacgg（配列番号：２０１）；
A*3306：
gctcccactccatgaggtatttcaccacatccgtgtcccggcccggccgcggggagccccgcttcatcgccgtgggctacgtggacgacacgcagttcgtgcggttcgacagcgacgccgcgagccagaggatggagccgcgggcgccgtggatGgagcaggaggggccggagtattgggaccggaacacacggaatgtgaaggcccactcacagattgaccgagtggacctggggaccctgcgcggctactacaaccagagcgaggccggttctcacaccatccagatgatgtatggctgcgacgtggggtcggacgggcgcttcctccgcgggtaccagcaggacgcctacgacggcaaggattacatcgccttgaacgaggacctgcgctcttggaccgcggcggacatggcggctcagatcacccagcgcaagtgggaggcggcccgtgtggcggagcagttgagagcctacctggagggcacgtgcgtggagtggctccgcagatacctggagaacgggaaggagacgctgcagcgcacggacccccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggaaccttccagaagtgggcgtctgt（配列番号：２０２）；
A*3401：
atggccatcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaaagtgaaggcccagtcacagactgaccgagtggacctggggaccctgcgcggctactacaaccagagcgaggacggttctcacaccatccagaggatgtatggctgcgacgtggggccggacgggcgcttcctccgcgggtaccAgcaggacgcttacgacggcaaggattacatcgccctgaacgaggacctgcgctcttggaccgcggcggacatggcggctcagatcacccagcgcaagtgggagacggcccatgAggcggagcagTggagagcctacctggagggcaCgtgcgtggagTggctccgcagatacctggagaacgggaaggagacgctgcagcgcacggacGcccccaagacacatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggaaccttccagaagtgggcgTctgtggtggtgccttctggaCaggagcagagatacacctgccatgtgcagcatgagggtctgcccaagcccctcaccctgagatgggag（配列番号：２０３）；
A*3402：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggacggttctcacaccatccagataatgtatggctgcgacgtggggtcggacgggcgcttcctccgcgggtaccggcaggacgcttacgacggcaaggattacatcgccctgaacgaggacctgcgctcttggaccgcggcggacatggcggctcagatcacccagcgcaagtgggagacggcccatgAggcggagcagtTgagagcctacctggagggcaCgtgcgtggagTggctccgcagatacctggagaacgggaaggagacgctgcagcgcacggacGcccccaagacGcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggaaccttccagaagtgggcgTctgtggtggtgccttctggaCaggagcagagatacacctgccatgtgcagcatgagggtctgcccaagcccctcaccctgagatgggag（配列番号：２０４）；
A*3403：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggacggttctcacaccatccagataatgtatggctgcgacgtggggtcggacgggcgcttcctccgcgggtaccggcaggacgcTtacgacggcaaggattacatcgccctgaacgaggacctgcgctcttggaccgcggcggacatggcggctcagatcacccagcgcaagtgggaggcggcccatgAggcggagcagtTgagagcctacctggagggcaCgtgcgtggagtggctccgcagatacctggagaacgggaaggagacgctgcagcgcacgg（配列番号：２０５）；
A*3404：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggagAggccggagtattgggaccggaacacacggaatgtgaaggcccagtcacagactgaccgagtggacctggggaccctgcgcggctactacaaccagagcgaggacggttctcacaccatccagataatgtatggctgcgacgtggggtcggacgggcgcttcctccgcgggtaccggcaggacgcttacgacggcaaggattacatcgccctgaacgaggacctgcgctcttggaccgcggcggacatggcggctcagatcacccagcgcaagtgggagacggcccatgAggcggagcagtTgagagcctacctggagggcacgtgcgtggagTggctccgcagatacctggagaacgggaaggagacgctgcagcgcacgg（配列番号：２０６）；
A*3405：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaaagtgaaggcccagtcacagactgaccgagtggacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcTccctgaacgaggacctgcgctcttggaccgcggcggacatggcggctcagatcacccagcgcaagtgggagacggcccatgaggcggagcagtggagagcctacctggagggcacgtgcgtggagtggctccgcagatacctggagaacgggaaggagacgctgcagcgcacgg（配列番号：２０７）；
A*3601：
atggccgtcatggcgccccgaaccctcctcctgctactctcgggggccctggccctgacccagacctgggcgggctcccactccatgaggtatttcttcacatccgtgtcccggcccggccgcggggagccccgcttcatcgccgtgggctacgtggacgacacgcagttcgtgcggttcgacagcgacgccgcgagccagaagatggagccgcgggcgccgtggatagagcaggaggggccggagtattgggaccaggagacacggaatatgaaggcccactcacagactgaccgagcgaacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggtccatgcggcggagcagcggagagtctacctggagggcaCgtgcgtggaGtggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：２０８）；
A*3602：
gctcccactccatgaggtatttcttcacatccgtgtcccggcccggccgcggggagccccgcttcatcgccgtgggctacgtggacgacacgcagttcgtgcggttcgacagcgacgccgcgagccagaagatggagccgcgggcgccgtggatagagcaggaggggccggagtattgggaccaggagacacggaatatgaaggcccactcacagactgaccgagcgaacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggtccatgcggcggagcagcggagagcctacctggaTggcacgtgcgtggagtggctccgcagatacctggagaacgggaaggagacgctgcagcgcacgg（配列番号：２０９）；
A*3603：
atggccgtcatggcgccccgaaccctcctcctgctactctcgggggccctggccctgacccagacctgggcgggctcccactccatgaggtatttcttcacatccgtgtcccggcccggccgcggggagccccgcttcatcgccgtgggctacgtggacgacacgcagttcgtgcggttcgacagcgacgccgcgagccagaagatggagccgcgggcgccgtggatagagcaggaggggccggagtattgggaccaggagacacggaatatgaaggcccactcacagactgaccgagcgaacctggggaccctgcgcggctactacaaccagagcgaggacggttctcacaccCtccagatgatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggtccatgcggcggagcagcggagagtctacctggagggcaCgtgcgtggaGTggctccgcagatacctggagaacgggaaggagacgctgcagcgcacggacccccccaagacacatatgacccaccaccccatctctgaccatgaggccaccctgaggtgctgggccctgggcttctaccctgcggagatcacactgacctggcagcgggatggggaggaccagacccaggacacggagctcgtggagaccaggcctgcaggggatggaaccttccagaagtgggcggctgtggtggtgccttctggagaggagcagagatacacctgccatgtgcagcatgagggtctgcccaagcccctcaccctgagatgggag（配列番号：２１０）；
A*3604：
gctcccactccatgaggtatttcttcacatccgtgtcccggcccggccgcggggagccccgcttcatcgccgtgggctacgtggacgacacgcagttcgtgcggttcgacagcgacgccgcgagccagaagatggagccgcgggcgccgtggatagagcaggaggggccggagtattgggaccaggagacacggaatatgaaggcccactcacagactgaccgagcgaacctggggaccctgcgcggctactacaaccagagcgaggacggttctcacaccatccagataatgtatggctgcgacgtggggccggacgggcgcttcctccgcgggtaccggcaggacgcctacgacggcaaggattacatcgccctgaacgaggacctgcgctcttggaccgcggcggacatggcagctcagatcaccaagcgcaagtgggaggcggtccatgcggcggagcagcggagagtctacctggagggccggtgcgtggaGtggctccgcagatacctggagaacgggaaggagacgctgcagcgcacgg（配列番号：２１１）；
A*4301：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccTgcagacacggaatgtgaaggcccactcacagactgaccgagcgaacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagtggagagcctacctggagggccggtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggGaccttccagaagtgggcgtctgtggtggtgccttctggaCaggagcagagatacacctgccatgtgcagcatgagggtctgcccaagcccctcaccctgagatgggag（配列番号：２１２）；
A*6601：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccaGtcacagactgaccgagtgGacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagTggagagcctacctggagggccggtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggGaccttccagaagtgggcgtctgtggtggtgccttctggacaggagcagagatacacctgccatgtgcagcatgagggtctgcccaagcccctcaccctgagatgggag（配列番号：２１３）；
A*6602：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggccggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgaggcggagcagtggagagcctacctggagggcgAgtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagctcgtggagaccaggcctgcaggggatggaaccttccagaagtgggcgTctgtggtggtgccttctggaCaggagcagagatacacctgccatgtgcagcatgagggtctgcccaagcccctcaccctgagatgggag（配列番号：２１４）；
A*6603：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagtggacctggggaccctgcgcggctactacaaccagagcgaggccggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgAggcggagcagtggagagcctacctggagggcgAgtgcgtggagTggctccgcagatacctggagaacgggaaggagacgctgcagcgcacgg（配列番号：２１５）；
A*6604：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggacggttctcacaccatccagaggatgtatggctgcgacgtggggccggacgggcgcttcctccgcgggtaccagcaggacgcttacgacggcaaggattacatcgccctgaacgaggacctgcgctcttggaccgcggcggacatggcggctcagatcacccagcgcaagtgggagacggcccatgAggcggagcagtggagagcctacctggagggccggtgcgtggagtggctccgcagaCacctggagaacgggaaggagacgctgcagcgcacgg（配列番号：２１６）；
A*680101：
atggccgtcatggcgccccgaaccctcgtcctgctactctcgggggccctggccctgacccagacctgggcgggctcccactccatgaggtatttctacacCtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccaGtcacagactgaccgagtggacctggggaccctgcgcggctactacaaccagagcgaggccggttctcacaccatccagatgatgtatggctgcgacgtggggTcggacgggcgcttcctccgcgggtaccggcaggacgcctacgacggcaaggattacatcgccctgaaagaggacctgcgctcttggaccgcggcggacatggcagctcagaccaccaagcacaagtgggaggcggcccatgtggcggagcagTggagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggTggctgtggtggtgccttctggacaggagcagagatacacctgccatgtgcagcatgagggtTtgcccaagcccctcaccctgagatgggag（配列番号：２１７）；
A*680102：
atggccgtcatggcgccccgaaccctcgtcctgctactctcgggggccctggccctgacccagacctgggcgggctcccactccatgaggtatttctacacTtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccaGtcacagactgaccgagtggacctggggaccctgcgcggctactacaaccagagcgaggccggttctcacaccatccagatgatgtatggctgcgacgtggggTcggacgggcgcttcctccgcgggtaccggcaggacgcctacgacggcaaggattacatcgccctgaaagaggacctgcgctcttggaccgcggcggacatggcagctcagaccaccaagcacaagtgggaggcggcccatgtggcggagcagTggagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggTggctgtggtggtgccttctggacaggagcagagatacacctgccatgtgcagcatgagggtTtgcccaagcccctcaccctgagatgggag（配列番号：２１８）；
A*6802：
atggccgtcatggcgccccgaaccctcgtcctgctactctcgggggccctggccctgacccagacctgggcgggctcccactccatgaggtatttctacacctccAtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggccggttctcacaccatccagaggatgtatggctgcgacgtggggccggacgggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagtggagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggtggctgtggtggtgccttctggacaggagcagagatacacctgccatgtgcagcatgagggtTtgcccaagcccctcaccctgagatgggag（配列番号：２１９）；
A*680301：
atggccgtcatggcgccccgaaccctcgtcctgctactctcgggggccctggccctgacccagacctgggcgggctcccactccatgaggtatttctacacTtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagtggacctggggaccctgcgcggctactacaaccagagcgaggccggttctcacaccatccagatgatgtatggctgcgacgtggggTcggacgggcgcttcctccgcgggtaccggcaggacgcctacgacggcaaggattacatcgccctgaaagaggacctgcgctcttggaccgcggcggacatggcagctcagaccaccaagcacaagtgggaggcggcccatgtggcggagcagTggagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggTggctgtggtggtgccttctggacaggagcagagatacacctgccatgtgcagcatgagggtTtgcccaagcccctcaccctgagatgggag（配列番号：２２０）；
A*680302：
gctctcactccatgaggtatttctacacTtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactgaccgagtggacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccctgaaagaggacctgcgctcttggaccgcggcggacatggcagctcagaCcaccaagcacaagtgggaggcggcccatgtggcggagcagTggagagcctacctggagggcacgtgcgtggagtggctccgcagatacctggagaacgggaaggagacgctgcagcgcacgg（配列番号：２２１）；
A*6804：
gctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaaCacacggaatgtgaaggcccactcacagaTtgaccgagtggacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccctgaaagaggacctgcgctcttggaccgcggcggacatggcagctcagaccaccaagcAcaagtgggaggcggcccatgtggcggagcagtggagagcctacctggagggcacgtgcgtggagTggctccgcagatacctggagaacgggaaggagacgctgcagcgcacgg（配列番号：２２２）；
A*6805：
gctcccactccatgaggtatttctacacTtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactCaccgagtggacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccctgaaagaggacctgcgctcttggaccgcggcggacatggcagctcagaCcaccaagcacaagtgggaggcggcccatgtggcggagcagTggagagcctacctggagggcacgtgcgtggagtggctccgcagatacctggagaacgggaaggagacgctgcagcgcacgg（配列番号：２２３）；
A*6806：
gctcccactccatgaggtatttctacacttccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccaGtcacagactgaccgagtggacctggggaccctgcgcggctactacaaccagagcgaggccggttctcacaccatccagatgatgtatggctgcgacgtggggtcggacgggcgcttcctccgcgggtatgaAcagcacgcctacgacggcaaggattacatcgccctgaaagaggacctgcgctcttggaccgcggcggacatggcagctcagaccaccaagcAcaagtgggaggcggcccatgTggcggagcagtggagagcctacctggagggcacgtgcgtggagtggctccgcagatacctggagaacgggaaggagacgctgcagcgcacgg（配列番号：２２４）；
A*6807：
gctcccactccatgaggtatttctacacttccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccaGtcacagactgaccgagtggacctggggaccctgcgcggctactacaaccagagcgaggccggttctcacaccatccagatgatgtatggctgcgacgtggggtcggacgggcgcttcctccgcgggtaccggcagCacgcctacgacggcaaggattacatcgccctgaaagaggacctgcgctcttggaccgcggcggacatggcagctcagaccaccaagcAcaagtgggaggcggcccatgTggcggagcagtggagagcctacctggagggcacgtgcgtggagtggctccgcagatacctggagaacgggaaggagacgctgcagcgcacgg（配列番号：２２５）；
A*6808：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccctgaaagaggacctgcgctcttggaccgcggcggacatggcagctcagaccaccaagcacaagtgggaggcggcccatgtggcggagcagcTgagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggTggctgtggtggtgccttctggacaggagcagagatacacctgccatgtgcagcatgagggtTtgcccaagcccctcaccctgagatgggag（配列番号：２２６）；
A*6809：
gctcccactccatgaggtatttctacacTtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccctgaaagaggacctgcgctcttggaccgcggcggacatggcagctcagaccaccaagcacaagtgggaggcggcccatgtggcggagcagcAgagagcctacctggagggcacgtgcgtggagtggctccgcagatacctggagaacgggaaggagacgctgcagcgcacgg（配列番号：２２７）；
A*6810：
gctcccactccatgaggtatttctacacCtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacGaggagacacggaatgtgaaggcccaGtcacagactgaccgagtggacctggggaccctgcgcggctactacaaccagagcgaggccggttctcacaccatccagatgatgtatggctgcgacgtggggTcggacgggcgcttcctccgcgggtaccggcaggacgcctacgacggcaaggattacatcgccctgaaagaggacctgcgctcttggaccgcggcggacatggcagctcagaccaccaagcacaagtgggaggcggcccatgTggcggagcagTggagagcctacctggagggcaCgtgcgtggagTggctccgcagatacctggagaacgggaaggagacgctgcagcgcacgg（配列番号：２２８）；
A*6812：
accctcgtcctgctactctcgggggccctggccctgacccagacctgggcgggctcccactccatgaggtatttctacacTtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccaGtcacagactgaccgagtggacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccctgaaagaggacctgcgctcttggaccgcggcggacatggcagctcagatcaccaagcacaagtgggaggcggcccatgtggcggagcagTggagagcctacctggagggcacgtgcgtggagtggctccgcagatacctggagaacgggaag（配列番号：２２９）；
A*6813：
atggccgtcatggcgccccgaaccctcgtcctgctactctcgggggccctggccctgacccagacctgggcgggctcccactccatgaggtatttctacacCtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccgggagacacggaatgtgaaggcccaGtcacagactgaccgagtggacctggggaccctgcgcggctactacaaccagagcgaggccggttctcacaccatccagatgatgtatggctgcgacgtggggTcggacgggcgcttcctccgcgggtaccggcaggacgcctacgacggcaaggattacatcgccctgaaagaggacctgcgctcttggaccgcggcggacatggcagctcagaccaccaagcacaagtgggaggcggcccatgtggcggagcagTggagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggTggctgtggtggtgccttctggacaggagcagagatacacctgccatgtgcagcatgaggg（配列番号：２３０）；
A*6814：
gctcccactccatgaggtatttctacacCtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggacGaggagacacggaatgtgaaggcccaGtcacagactgaccgagtggacctggggaccctgcgcggctactacaaccagagcgaggccggttctcacaccatccagatgatgtatggctgcgacgtggggTcggacgggcgcttcctccgcgggtaccggcaggacgcctacgacggcaaggattacatcgccctgaaagaggacctgcgctcttggaccgcggcggacatggcagctcagaccaccaagcacaagtgggaggcggcccatgTggcggagcagTggagagcctacctggagggcaCgtgcgtggagTggctccgcagatacctggagaacgggaaggagacgctgcagcgcgcgg（配列番号：２３１）；
A*6815：
gctcccactccatgaggtatttctacacctccAtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaaCacacggaatgtgaaggcccactcacagactCaccgagtggacctggggaccctgcgcggctactacaaccagagcgaggccggttctcacaccatccagaggatgtatggctgcgacgtggggccggacgggcgcttcctccgcgggtaccaccagtacgcctacgacggcaaggattacatcgccctgaaagaggacctgcgctcttggaccgcggcggacatggcagctcagaccaccaagcacaagtgggaggcggcccatgtggcggagcagtggagagcctacctggagggcacgtgcgtggagtggctccgcagatacctggagaacgggaaggagacgctgcagcgcacgg（配列番号：２３２）；
A*6816：
ccgtcatggcgccccgaaccctcgtcctgctactctcgggggccctggccctgacccagacctgggcgggctcccactccatgaggtatttctacacttccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccctgaaagaggacctgcgctcttggaccgcggcggacatggcagctcagaccaccaagcacaagtgggaggcggcccTtgtggcggagcagtggagagcctacctggagggcacgtgcgtggagtggctccgcagatacctggagaacgggaaggagacgctgcagcgcacgg（配列番号：２３３）；
A*6817：
atggccgtcatggcgccccgaaccctcgtcctgctactctcgggggccctggccctgacccagacctgggcgggctcccactccatgaggtatttctacacttccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggccggttctcacaccatccagatgatgtatggctgcgacgtggggtcggacgggcgcttcctccgcgggtaccggcaggTcgcctacgacggcaaggattacatcgccctgaaagaggacctgcgctcttggaccgcggcggacatggcagctcagaccaccaagcacaagtgggaggcggcccatgtggcggagcagtggagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggtggctgtggtggtgccttctggacaggagcagagatacacctgccatgtgcagcatgagggtTtgcccaagcccctcaccctgagatgggag（配列番号：２３４）；
A*6819：
gctcccactccatgaggtatttctacacttccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccctgaaagaggacctgcgctcttggaccgcggcggacatggcagctcagaccaccaagcAcaagtgggaggcggcccatgTggcggagcagTggagagcctacctggaTggcacgtgcgtggagtggctccgcagatacctggagaacgggaaggagacgctgcagcgcacgg（配列番号：２３５）；
A*6820：
gctcccactccatgaggtatttctacacttccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccactcacagactcaccgagtggacctggggaccctgcgcggctactacaaccagagcgaggccggttctcacaccatccagatgatgtatggctgcgacgtggggtcggacgggcActtcctccgcgggtaccggcaggacgcctacgacggcaaggattacatcgccctgaaagaggacctgcgctcttggaccgcggcggacatggcagctcagaccaccaagcacaagtgggaggcggcccatgtggcggagcagtggagagcctacctggagggcacgtgcgtggagtggctccgcagatacctggagaacgggaaggagacgctgcagcgcacgg（配列番号：２３６）；
A*6821：
gctcccactccatgaggtatttctacacttccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggccggttctcacaccatccagatgatgtatggctgcgacgtggggtcggacgggcgcttcctccgcgggtaccggcaggacgcctacgacggcaaggattacatcgccctgaaagaggacctgcgctcttggaccgcggcggacatggcagctcagaccaccaagcacaagtgggaggcggcccatgTggcggagcagtggagagcctacctggagggcacgtgcgtggagtggctccgcagatacctggagaacCggaaggagacgctgcagcgcacgg（配列番号：２３７）；
A*6822：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcAcggctactacaaccagagcgaggccggttctcacaccatccagatgatgtatggctgcgacgtggggtcggacgggcgcttcctccgcgggtaccggcaggacgcctacgacggcaaggattacatcgccctgaaagaggacctgcgctcttggaccgcggcggacatggcagctcagaccaccaagcacaagtgggaggcggcccatgtggcggagcagtggagagcctacctggagggcacgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggtggctgtggtggtgccttctggacaggagcagagatacacctgccatgtgcagcatgagggtttgcccaagcccctcaccctgagatgggag（配列番号：２３８）；
A*6823：
gctcccactccatgaggtatttctacacTtccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaacacacggaatgtgaaggcccagtcacagactgaccgagtggacctggggaccctgcgcggctactacaaccagagcgaggccggttctcacaccatccagaGgatgtatggctgcgacgtggggtcggacgggcgcttcctccgcgggtaccggcaggacgcctacgacggcaaggattacatcgccctgaaagaggacctgcgctcttggaccgcggcggacatggcagctcagaCcaccaagcacaagtgggaggcggcccatgtggcggagcagTggagagcctacctggagggcacgtgcgtggagtggctccgcagatacctggagaacgggaaggagacgctgcagcgcacgg（配列番号：２３９）；
A*6901：
atggccgtcatggcgccccgaaccctcgtcctgctactctcgggggccctggccctgacccagacctgggcgggctcccactccatgaggtatttctacacctccgtgtcccggcccggccgcggggagccccgcttcatcgccgtgggctacgtggacgacacgcagttcgtgcggttcgacagcgacgccgcgagccagaggatggagccgcgggcgccgtggatagagcaggaggggccggagtattgggaccggaaCacacggaatgtgaaggcccaGtcacagactgaccgagtggacctggggaccctgcgcggctactacaaccagagcgaggccggttctcacaccGtccagaGgatgtatggctgcgacgtggggtcggacTggcgcttcctccgcgggtaccaccagtacgcctacgacggcaaggattacatcgccctgaaagaggacctgcgctcttggaccgcggcggacatggcagctcagaccaccaagcacaagtgggaggcggcccatgTggcggagcagTTgagagcctacctggagggcaCgtgcgtggagtggctccgcagatacctggagaacgggaaggagacgctgcagcgcacggacgcccccaaaacgcatatgactcaccacgctgtctctgaccatgaagccaccctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtgccttctggacaggagcagagatacacctgccatgtgcagcatgagggtTtgcccaagcccctcaccctgagatgggag（配列番号：２４０）；
A*7401：
atggccgtcatggcgccccgaaccctcctcctgctactcttgggggccctggccctgacccagaccAgggcgggctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagactgaccgagtggacctggggaccctgcgcggctactacaaccagagcgaggccggttctcacaccatccagatgatgtatggctgcgacgtggggccggacgggcgcctcctccgcgggtaccagcaggacgcctacgacggcaaggattacatcgccttgaacgaggacctgcgctcttggaccgcggcggacatggcggctcagatcacccagcgcaagtgggaggcggcccgtgtggcggagcagttgagagcctacctggagggcacgtgcgtggagtggctccgcagatacctggagaacgggaaggagacgctgcagcgcacggacgcccccaagacgcatatgactcaccacgctgtctctgaccatgaggccaccctgaggtgctgggccctgagcttctaccctgcggagatcacactgacctggcagcgggatggggaggaccagacccaggacacggagcttgtggagaccaggcctgcaggggatggaaccttccagaagtgggcgtctgtggtggtgccttctggaCaggagcagagatacacctgccatgtgcagcatgagggtctgcccaagcccctcaccctgagatgggag（配列番号：２４１）；
A*7402：
atggccgtcatggcgccccgaaccctcctcctgctactctTgggggccctggccctgacccagacctgggcgggctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagactgaccgagtgGacctggggaccctgcgcggctactacaaccagagcgaggccggttctcacaccatccagatgatgtatggctgcgacgtggggccggacgggcgcCtcctccgcgggtaccAgcaggacgcctacgacggcaaggattacatcgccTtgaacgaggacctgcgctcttggaccgcggcggacatggcggctcagatcacccagcgcaagtgggaggcggcccgtgtggcggagcagtTgagagcctacctggagggcacgtgcgtggagTggctccgcagatacctggagaacgggaaggagacgctgcagcgcacgg（配列番号：２４２）；
A*7403：
atggccgtcatggcgccccgaaccctcctcctgctactcttgggggccctggccctgacccagaccagggcgggctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagactgaccgagtggacctggCgaccctgcgcggctactacaaccagagcgaggccggttctcacaccatccagatgatgtatggctgcgacgtggggccggacgggcgcctcctccgcgggtaccagcaggacgcctacgacggcaaggattacatcgccttgaacgaggacctgcgctcttggaccgcggcggacatggcggctcagatcacccagcgcaagtgggaggcggcccgtgtggcggagcagttgagagcctacctggagggcacgtgcgtggagtggctccgcagatacctggagaacgggaaggagacgctgcagcgcacgg（配列番号：２４３）；
A*7404：
ggctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggagggtccggagtattgggacggggagacacggaaAgtgaaggcccactcacagactgaccgagtgGacctggggaccctgcgcggctactacaaccagagcgaggccggttctcacaccatccagatgatgtatggctgcgacgtggggccggacgggcgcCtcctccgcgggtaccagcaggacgcctacgacggcaaggattacatcgccttgaacgaggacctgcgctcttggaccgcggcggacatggcggctcagatcacccagcgcaagtgggaggcggcccGtgtggcggagcagtTgagagcctacctggagggcacgtgcgtggagtggctccgcagatacctggagaacgggaaggagacgctgcagcgcacgg（配列番号：２４４）；
A*7405：
gctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagGctgaccgagtggacctggggaccctgcgcggctactacaaccagagcgaggccggttctcacaccatccagatgatgtatggctgcgacgtggggccggacgggcgcctcctccgcgggtaccagcaggacgcctacgacggcaaggattacatcgccttgaacgaggacctgcgctcttggaccgcggcggacatggcggctcagatcacccagcgcaagtgggaggcggcccgtgtggcggagcagttgagagcctacctggagggcacgtgcgtggagtggctccgcagatacctggagaacgggaaggagacgctgcagcgcacgg（配列番号：２４５）；
A*7406：
gctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagactCaccgagtgGacctggggaccctgcgcggctactacaaccagagcgaggccggttctcacaccatccagatgatgtatggctgcgacgtggggccggacgggcgcCtcctccgcgggtaccagcaggacgcctacgacggcaaggattacatcgccttgaacgaggacctgcgctcttggaccgcggcggacatggcggctcagatcacccagcgcaagtgggaggcggcccGtgtggcggagcagtTgagagcctacctggagggcacgtgcgtggagtggctccgcagatacctggagaacgggaaggagacgctgcagcgcacg（配列番号：２４６）；
A*7407：
gctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagaTtgaccgagtgGacctggggaccctgcgcggctactacaaccagagcgaggccggttctcacaccatccagatgatgtatggctgcgacgtggggccggacgggcgcCtcctccgcgggtaccagcaggacgcctacgacggcaaggattacatcgccttgaacgaggacctgcgctcttggaccgcggcggacatggcggctcagatcacccagcgcaagtgggaggcggcccGtgtggcggagcagtTgagagcctacctggagggcacgtgcgtggagtggctccgcagatacctggagaacgggaaggagacgctgcagcgcacgg（配列番号：２４７）；
A*7408：
gctcccactccatgaggtatttcttcacatccgtgtcccggcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagactgaccgagtggacctggggaccctgcgcggctactacaaccagagcgaggccggttctcacaccatccagatgatgtatggctgcgacgtggggccggacgggcgcctcctccgcgggtaccagcaggacgcctacgacggcaaggattacatcgccttgaacgaggacctgcgctcttggaccgcggcggacatggcggctcagatcacccagcgcaagtgggaggcggccAgtgtggcggagcagttgagagcctacctggagggcacgtgcgtggagtggctccgcagatacctggagaacgggaaggagacgctgcagcgcacgg（配列番号：２４８）；
A*7409：
gctcccactccatgaggtatttcttcacatccgtgtcccCgcccggccgcggggagccccgcttcatcgccgtgggctacgtggacgacacgcagttcgtgcggtttgacagcgacgccgcgagccagaggatggagccgcgggcgccgtggatagagcaggaggggccggagtattgggaccaggagacacggaatgtgaaggcccactcacagactgaccgagtggacctggggaccctgcgcggctactacaaccagagcgaggccggttctcacaccatccagatgatgtatggctgcgacgtggggccggacgggcgcctcctccgcgggtaccagcaggacgcctacgacggcaaggattacatcgccttgaacgaggacctgcgctcttggaccgcggcggacatggcggctcagatcacccagcgcaagtgggaggcggcccgtgtggcggagcagttgagagcctacctggagggcacgtgcgtggagtggctccgcagatacctggagaacgggaaggagacgctgcagcgcacgg（配列番号：２４９）；
A*8001：
atggccgtcatgccgccccgaaccctcctcctgctactctcgggggccctggccctgacccagacctgggcaggctcccactccatgaggtatttcttcacatccgtgtcccggcccggccgcggggagccccgcttcatcgcagtgggctacgtggacgactcgcagttcgtgcagttcgacagcgacgccgcgagccagaggatggagccgcgggcgccgtggatagagcaggaggagccggagtattgggacgaggagacacggaatgtgaaggcccactcacagactaaccgagcgaacctggggaccctgcgcggctactacaaccagagcgaggacggttctcacaccatccagataatgtatggctgcgacgtggggtcggacgggcgcttcctccgcgggtaccggcaggacgcctacgacggcaaggattacatcgccctgaacgaggacctgcgctcttggaccgcggcggacatggcggctcagatcaccaagcgcaagtgggaggcggcccgtcgggcggagcagctgagagcctacctggagggcgagtgcgtggacgggctccgcagatacctggagaacgggaaggagacgctgcagcgcacggacccccccaagacacatatgacccaccaccccatctctgaccatgaggccactctgaggtgctgggccctgagcttctaccctgcggagatcacactgacctggcagcgggatggggaggaccagacccaggacacggagctcgtggagaccaggcctgcaggggatggaaccttccagaagtgggcggctgtggtggtaccttctggaaaggagaagagatacacctgccatgtgcagcatgagggtctgcccGagcccctcaccctgagatgggag（配列番号：２５０）；
以下、表１−１〜１−６にプローブリスト１を、表２−１〜２−６にプローブリスト２を示す。
【００２３】
【表１】
2005185176.tif 000002
【００２４】
【表２】
2005185176.tif 000003
【００２５】
【表３】
2005185176.tif 000004
【００２６】
【表４】
2005185176.tif 000005
【００２７】
【表５】
2005185176.tif 000006
【００２８】
【表６】
2005185176.tif 000007
【００２９】
【表７】
2005185176.tif 000008
【００３０】
【表８】
2005185176.tif 000009
【００３１】
【表９】
2005185176.tif 000010
【００３２】
【表１０】
2005185176.tif 000011
【００３３】
【表１１】
2005185176.tif 000012
【００３４】
【表１２】
2005185176.tif 000013
【００３５】
【表１３】
2005185176.tif 000014
【００３６】
以下、アリル−プローブ対応リスト1及び２を表３及び４にそれぞれ示す。
【００３７】
【表１４】
2005185176.tif 000015
【００３８】
【表１５】
2005185176.tif 000016
【００３９】
【表１６】
2005185176.tif 000017
【００４０】
【表１７】
2005185176.tif 000018
【００４１】
【表１８】
2005185176.tif 000019
【００４２】
【表１９】
2005185176.tif 000020
【００４３】
【表２０】
2005185176.tif 000021
【００４４】
【表２１】
2005185176.tif 000022
【００４５】
【表２２】
2005185176.tif 000023
【００４６】
【表２３】
2005185176.tif 000024
【００４７】
【表２４】
2005185176.tif 000025
【００４８】
【表２５】
2005185176.tif 000026
【００４９】
【表２６】
2005185176.tif 000027
【００５０】
【表２７】
2005185176.tif 000028
【００５１】
【表２８】
2005185176.tif 000029
【００５２】
【表２９】
2005185176.tif 000030
【００５３】
【表３０】
2005185176.tif 000031
【００５４】
【表３１】
2005185176.tif 000032